(57)【要約】【課題】システム規模が大きくなっても、総合監視装置にかかる負担が勢い増大することなく、高コストの総合監視装置を必要としないようにする。【解決手段】複数の照明器具２１およびこれらの制御を行う照明制御コントローラ２０を含む照明サブシステム２と、各照明器具２１による消費電力を監視する消費電力監視部１２を持ちこれによって監視されている消費電力を低減する必要がある場合に照明制御コントローラ２０に電力削減指示を出す総合監視装置１とをビル設備ネットワークの配線Ｌ１に接続してマネジメントシステムを構成した。照明制御コントローラ２０は、総合監視装置１から電力削減指示を受けると、自己が属する照明サブシステム２内の各照明器具２１の少なくとも一部に対し、現在の負荷出力レベルよりも低い負荷出力レベルを求めてこの負荷出力レベルで動作させるように制御を行う。【選択図】  図１
2004180411.tif 000002
【特許請求の範囲】
【請求項１】
負荷機器およびこの負荷機器の制御を行うコントローラを含むサブシステムと、
このサブシステム内の負荷機器による消費電力を監視する消費電力監視手段を持ち、この消費電力監視手段によって監視されている消費電力を低減する必要がある場合に前記サブシステム内のコントローラに電力削減指示を出す総合監視装置と
をネットワークに接続して構築されるマネジメントシステムに含まれる少なくとも１つの前記サブシステムによりなる負荷制御システムであって、
前記コントローラは、前記総合監視装置から電力削減指示を受けると、自己が属するサブシステム内の負荷機器に対し、現在の負荷出力レベルよりも低い負荷出力レベルを求めてこの負荷出力レベルで動作させるように制御を行う
ことを特徴とする負荷制御システム。
【請求項２】
前記サブシステムは、前記負荷機器を複数含み、
前記コントローラは、前記総合監視装置から電力削減指示を受けると、自己が属するサブシステム内の各負荷機器を優先度別に区分し、これら優先度別に区分した各負荷機器のうち、少なくとも一つの優先度に区分した負荷機器に対し、現在の負荷出力レベルよりも低い負荷出力レベルを求めてこの負荷出力レベルで動作させるように制御を行う
ことを特徴とする請求項１記載の負荷制御システム。
【請求項３】
前記各負荷機器は、自己の動作状態情報を取得する動作状態情報取得手段およびこの動作状態情報取得手段で取得された動作状態情報を自己が属するサブシステム内のコントローラに送信する通信手段を有し、
前記コントローラは、前記各負荷機器からの動作状態情報を受信する通信手段を有し、自己が属するサブシステム内の各負荷機器を優先度別に区分するとき、当該コントローラの通信手段で受信される前記各負荷機器からの動作状態情報を基に前記各負荷機器を優先度別に区分する
ことを特徴とする請求項２記載の負荷制御システム。
【請求項４】
前記動作状態情報取得手段は、自己を具備する負荷機器の現在の負荷出力レベルを前記動作状態情報として取得し、
前記コントローラは、前記各負荷機器からの動作状態情報を基に優先度別に区分した各負荷機器のうち、少なくとも負荷出力レベルが最も高くなる優先度に区分した負荷機器に対し、現在の負荷出力レベルよりも低い負荷出力レベルを求めてこの負荷出力レベルで動作させるように制御を行う
ことを特徴とする請求項３記載の負荷制御システム。
【請求項５】
前記負荷機器は照明器具であり、
前記動作状態情報取得手段は、自己が属するサブシステムに自己を具備する負荷機器が接続されてからの累積点灯時間を前記動作状態情報として取得し、
前記コントローラは、前記各負荷機器からの動作状態情報を基に優先度別に区分した各負荷機器のうち、少なくとも累積点灯時間が最も短くなる優先度に区分した照明器具に対し、現在の負荷出力レベルよりも低い負荷出力レベルを求めてこの負荷出力レベルで動作させるように制御を行う
ことを特徴とする請求項３記載の負荷制御システム。
【請求項６】
前記コントローラは、自己が属するサブシステム内の各負荷機器を優先度別に区分するとき、それら各負荷機器の設置場所情報を基に前記各負荷機器を優先度別に区分することを特徴とする請求項２記載の負荷制御システム。
【請求項７】
前記コントローラは、自己が属するサブシステム内の各負荷機器を優先度別に区分するとき、それら各負荷機器の種類情報を基に前記各負荷機器を優先度別に区分することを特徴とする請求項２記載の負荷制御システム。
【請求項８】
前記コントローラは、自己が属するサブシステム内の各負荷機器を優先度別に区分するとき、それら各負荷機器の設置場所に居る人の個人情報を基に前記各負荷機器を優先度別に区分することを特徴とする請求項２記載の負荷制御システム。
【請求項９】
前記コントローラは、自己が属するサブシステム内の各負荷機器を優先度別に区分するとき、それら各負荷機器の設置場所で行われる業務内容の情報を基に前記各負荷機器を優先度別に区分することを特徴とする請求項２記載の負荷制御システム。
【請求項１０】
請求項１から９のいずれかに記載の負荷制御システムと、この負荷制御システム内の負荷機器による消費電力を監視する消費電力監視手段を持ち、この消費電力監視手段によって監視されている消費電力を低減する必要がある場合に前記負荷制御システム内のコントローラに電力削減指示を出す総合監視装置とをネットワークに接続して構築されることを特徴とするマネジメントシステム。
【発明の詳細な説明】
【０００１】
【発明の属する技術分野】
本発明は、負荷機器およびこの制御用のコントローラを含むサブシステムと、このサブシステム内の負荷機器による消費電力を監視する消費電力監視手段を持つ総合監視装置とをネットワークに接続して構成されるマネジメントシステムにおける上記サブシステムからなる負荷制御システム、およびそのマネジメントシステムに関するものである。
【０００２】
【従来の技術】
（第１従来技術）
図２５は第１従来技術の（ビル）マネジメントシステムの構成図、図２６は同マネジメントシステムにおける総合監視装置の構成図、図２７は同マネジメントシステムにおける照明サブシステムの模式図である。
【０００３】
第１従来技術のマネジメントシステムは、図２５に示すように、総合監視装置１ＰＡと、種々のサブシステム（２ＰＡ，３，４，５）と、ＯＡネットワークシステム７との信号の橋渡しをするゲートウェイ６とをビル設備ネットワークの配線Ｌ１に接続して構成され、各サブシステムの消費電力管理および運転記録管理が総合監視装置１ＰＡによって行われるようになっている。
【０００４】
総合監視装置１ＰＡは、図２６に示すように、各サブシステムとの信号送受信用のビルネットワークインターフェイス１１と、各サブシステムの消費電力を監視する消費電力監視部１２ＰＡと、各サブシステムの消費電力の目標値を設定する電力目標値管理部１４と、各サブシステムの動作状態に基づいて（電力削減）制御動作パターンを算出する制御判断部１５と、各サブシステムの動作状態情報、および消費電力監視部１２ＰＡ、電力目標値管理部１４、制御判断部１５の演算結果に基づいて、各サブシステムヘの指示信号を生成する制御部１０ＰＡとを備え、各サブシステムの電力監視制御を行う。
【０００５】
サブシステムには、図２５に示すように、照明器具２１ＰＡおよびこれを制御するための照明制御コントローラ２０ＰＡから成る照明サブシステム２ＰＡと（図２７参照）、空調機器およびこれを制御するための空調制御コントローラからなる空調サブシステム３と、防犯機器およびこれを制御するための防犯制御コントローラからなる防犯サブシステム４と、防災機器およびこれを制御するための防災制御コントローラからなる防災サブシステム６とがある。
【０００６】
このような構成のマネジメントシステムの概略動作について説明すると、総合監視装置１ＰＡにおいて、消費電力監視部１２ＰＡは、各サブシステムの消費電力を監視し、サブシステムの消費電力が予め規定された電力量を超えると電力削減要求を出す。電力目標値管理部１４は、制御部１０ＰＡを介してその電力削減要求を受けると、各サブシステムの消費電力を削減するための電力目標値を設定する。制御判断部１５は、サブシステム毎に電力目標値管理部１４で設定された電力目標値を実現するための制御動作パターンを算出して制御部１０ＰＡに出力する。制御部１０ＰＡは、制御動作パターンに基づいて、各サブシステムにおいて電力削減制御を実行するための電力削減制御信号を生成し、ビルネットワークインターフェイス１１を介して出力する。
【０００７】
各サブシステムは、総合監視装置１ＰＡから電力削減制御信号を受信すると、この電力削減制御信号に含まれる内容に従って自己の負荷機器の電力削減制御を行う。電力削減制御の後、サブシステム内の消費電力の情報が総合監視装置１ＰＡにフィードバックされ、電力目標値の削減を達成するまで、各サブシステムにおいて電力削減制御が行われる。
【０００８】
なお、図２５において、少なくとも１つの同種のサブシステムにより一の負荷制御システムが構成され、この場合、図中の各サブシステムは負荷制御システムと読み替えられる。例えば、少なくとも１つの照明サブシステム２ＰＡにより照明制御システムが構成され、また少なくとも１つの空調サブシステム３により空調制御システムが構成される。図２７の例では、複数の照明サブシステム２ＰＡにより照明制御システムが構成されている。
【０００９】
（第２従来技術）
図２８は第２従来技術のマネジメントシステムの構成図、図２９，図３０は同マネジメントシステムの動作説明図である。
【００１０】
第２従来技術のマネジメントシステムは、図２８に示すように、第１従来技術と同様の総合監視装置１ＰＡと、複数の照明サブシステム２ＰＡとをビル設備ネットワークの配線Ｌ１に接続して構成されている。
【００１１】
照明サブシステム２ＰＡは、複数の照明器具２１ＰＡと、これら照明器具２１ＰＡに対して点灯、消灯または調光の制御を行う照明制御コントローラ２０ＰＡとを備えている。
【００１２】
照明制御コントローラ２０ＰＡは、総合監視装置１ＰＡとの信号送受信用のビルネットワークインターフェイス２０１と、自己が属する照明サブシステム２ＰＡ内の各照明器具２１ＰＡとの信号送受信用の信号送受信部２０２と、制御動作パターンに合う照明制御信号を生成する照明制御信号生成部２０３と、当該照明制御コントローラ２０ＰＡ全般の制御などの処理を行う演算処理部２００ＰＡとにより構成されている。
【００１３】
次に第２従来技術のマネジメントシステムの動作について説明する。通常状態では、総合監視装置１ＰＡが消費電力監視部１２ＰＡで各サブシステム（負荷制御システム）の消費電力を監視している（図２９のＳ１００）。そして、総合監視装置１ＰＡは、各サブシステムが消費電力監視部１２ＰＡに設定されている規定値以下の消費電力で動作している場合には電力監視のみ行い、各サブシステムに対する電力削減制御および動作状態返信要求などの処理を実行しない。
【００１４】
一方、総合監視装置１ＰＡは、各サブシステムが上記規定値を超えた消費電力で動作している場合には消費電力監視部１２ＰＡが電力削減要求を出し、電力削減制御の第１ステップに移行する。制御部１０ＰＡは、電力削減要求を受けると、電力目標値管理部１４に対して電力削減目標を設定するよう指示する。電力目標値管理部１４は、各照明サブシステム２ＰＡの消費電力を削減するための電力目標値Ｗ＿Ｌｉｇｈｔ１を設定する（Ｓ１０１）。制御判断部１５は、電力目標値Ｗ＿Ｌｉｇｈｔ１を達成するために、点灯レベルを９０％に下げる制御動作パターンを算出して制御部１０ＰＡに出力する（Ｓ１０２）。制御部１０ＰＡは、制御動作パターンに基づいて、照明サブシステム２ＰＡ内の照明器具２１ＰＡの点灯レベルを９０％に下げるための照明電力削減指示を生成し、ビルネットワークインターフェイス１１を介して出力する（Ｓ１０３）。
【００１５】
各照明サブシステム２ＰＡ内の照明制御コントローラ２０ＰＡは、総合監視装置１ＰＡからの照明電力削減指示をビルネットワークインターフェイス２０１で受けると、演算処理部２００ＰＡにて信号処理を行い、照明制御信号生成部２０３に対して照明器具２１ＰＡの点灯レベルを９０％にするための照明制御信号生成の指示を出す。照明制御信号生成部２０３は、その指示を受けて照明制御信号を生成し、信号送受信部２０２を介して出力する。
【００１６】
照明制御コントローラ２０ＰＡに接続された各照明器具２１ＰＡは、照明制御信号を受信すると点灯レベルが９０％になるようランプ電力制御を行う（Ｓ１０４）一方、照明制御コントローラ２０ＰＡは、点灯制御後の照明負荷消費電力値ｗ＿ｌｃを算出し、ビルネットワークインターフェイス２０１を介して総合監視装置１ＰＡにフィードバックする（Ｓ１０５）。
【００１７】
総合監視装置１ＰＡ内の制御部１０ＰＡは、各照明サブシステム２ＰＡ内の照明制御コントローラ２０ＰＡからフィードハックされた照明負荷消費電力値ｗ＿ｌｃの加算値ｗを算出し、電力目標値管理部１４で設定された電力目標値Ｗ＿Ｌｉｇｈ１と比較する（Ｓ１０６）。その結果、照明負荷消費電力値の総和ｗが、各照明サブシステム２ＰＡの電力目標値Ｗ＿Ｌｉｇｈｔ１よりも大きい場合は、電力目標値の削減未達と判断して（Ｓ１０７）、電力削減制御の第２ステップに移行する。一方、照明負荷消費電力値の総和ｗが電力目標値Ｗ＿Ｌｉｇｈｔ１以下である場合は、電力目標値の削減達成と判断し（Ｓ１０８）、総合監視装置１ＰＡから電力削減解除指示を受けるまで現在の動作状態を保持する（Ｓ１０９）。ｗ≦Ｗ＿Ｌｉｇｈｔ１となり電力目標値の削減を達成した場合においても、各サブシステムの電力監視状況によって更なる電力削減が必要な場合は、電力削減制御の第２ステップヘ移行する。
【００１８】
ｗ＞Ｗ＿Ｌｉｇｈｔ１の場合（照明負荷消費電力値の総和ｗが電力目標値Ｗ＿Ｌｉｇｈｔ１よりも大きい場合）、電力目標値の削減未達と判断し、電力削減制御の第２ステップヘ移行する。そして、制御判断部１５は点灯レベルを８０％まで下げる制御動作パターンを算出し、制御部１０ＰＡは点灯レベル８０％を指示する照明電力削減指示を生成し、ビルネットワークインターフェイス１１を介して出力する（Ｓ１１０）。各照明サブシステム２ＰＡ内の照明制御コントローラ２０ＰＡは、総合監視装置１ＰＡから出力された照明電力削減指示をビルネットワークインターフェイス２０１で受けると、照明制御信号を生成し、制御下の各照明器具２１ＰＡに出力する（Ｓ１１１）。照明器具２１ＰＡは、照明制御信号を受信すると点灯レベルが８０％になるようランプ電力制御を行う（Ｓ１１２）一方、照明制御コントローラ２０ＰＡは、点灯制御後の照明負荷消費電力値ｗ＿ｌｃを算出して総合監視装置１ＰＡにフィードバックする（Ｓ１１３）。
【００１９】
総合監視装置１ＰＡ内の制御部１０ＰＡは、各照明サブシステム２ＰＡ内の照明制御コントローラ２０ＰＡからフィードバックされた照明負荷消費電力値ｗ＿ｌｃの加算値ｗを算出し、電力目標値管理部１４で設定された電力目標値Ｗ＿Ｌｉｇｈｔ１と比較する（Ｓ１１４）。その結果、照明負荷消費電力値の総和ｗが電力目標値Ｗ＿Ｌｉｇｈｔ１よりも大きい場合は、電力目標値の削減未達と判断して（Ｓ１１５）、電力削減制御の第３ステップに移行する。一方、照明負荷消費電力値の総和ｗが電力目標値Ｗ＿Ｌｉｇｈｔ１以下である場合は、電力目標値の削減達成と判断し（Ｓ１１６）、総合監視装置１ＰＡから電力削減解除指示を受けるまで現在の動作状態を保持する（Ｓ１１７）。ｗ≦Ｗ＿Ｌｉｇｈｔ１となり電力目標値の削減を達成した場合においても、各サブシステムの電力監視状況によって更なる電力削減が必要な場合は、電力削減制御の第３ステップヘ移行する。
【００２０】
ｗ≦Ｗ＿Ｌｉｇｈｔ１の場合（照明負荷消費電力値の総和ｗが電力目標値Ｗ＿Ｌｉｇｈｔ１以下の場合）、電力目標値の削減達成と判断して、点灯レベル９０％の動作状態を保持する（Ｓ１０９）。その後、総合監視装置１ＰＡの各サブシステムの消費電力監視状況によって、電力削減の必要がなくなると、制御部１０ＰＡは、電力削減解除信号を生成し、ビルネットワークインターフェイス１１を介して出力する。各照明サブシステム２ＰＡ内の照明制御コントローラ２０ＰＡは、電力削減解除信号を受信すると、点灯状態を通常の１００％点灯に戻すように照明器具２１ＰＡの点灯制御を行う。
【００２１】
また、総合監祝装置１ＰＡの消費電力監視状況によって、更なる電力削減が必要になった場合（Ｓ１０９ａ）、電力削減の第２ステップに移行し、制御部１０ＰＡは、電力目標値管理部１４に対して電力削減目標を設定するよう指示する。電力目標値管理部１４は、各照明サブシステム２ＰＡの消費電力を削減するための電力目標値Ｗ＿Ｌｉｇｈｔ２を設定する（Ｓ１０９ｂ）。制御判断部１５は、電力目標値管理部１４で設定された電力目標値Ｗ＿Ｌｉｇｈｔ２を達成するために、点灯レベルを８０％に下げる制御動作パターンを算出して制御部１０ＰＡに出力する（Ｓ１１０）。制御部１０ＰＡは、制御動作パターンに基づいて、照明器具２１ＰＡの点灯レベルを８０％に下げるための照明電力削減指示を生成し、ビルネットワークインターフェイス１１を介して出力する。
【００２２】
各照明サブシステム２ＰＡ内の照明制御コントローラ２０ＰＡは、総合監視装置１ＰＡからの照明電力削減指示をビルネットワークインターフェイス２０１で受けると、演算処理部２００ＰＡにて信号処理を行い、照明制御信号生成部２０３に対して照明器具２１ＰＡの点灯レベルを８０％にするための照明制御信号を生成する指示を出す（Ｓ１１１）。照明制御信号生成部２０３は、その指示を受けて照明制御信号を生成し、信号送受信部２０２を介して出力する。照明制御コントローラ２０ＰＡに接続された各照明器具２１ＰＡは、照明制御信号を受信すると点灯レベルが８０％になるようランプ電力制御を行う（Ｓ１１２）一方、照明制御コントローラ２０ＰＡは、点灯制御後の照明負荷消費電力値ｗ＿ｌｃを算出し、ビルネットワークインターフェイス２０１を介して総合監視装置１ＰＡにフィードバックする（Ｓ１１３）。
【００２３】
総合監視装置１ＰＡ内の制御部１０ＰＡは、各照明サブシステム２ＰＡ内の照明制御コントローラ２０ＰＡからフィードバックされた照明負荷消費電力値ｗ＿ｌｃの加算値ｗを算出し、電力目標値管理部１４で設定された電力目標値ｗ＿Ｌｉｇｈｔ２と比較する（Ｓ１１４）。その結果、照明負荷消費電力値の総和ｗが、各照明サブシステム２ＰＡの電力目標値Ｗ＿Ｌｉｇｈｔ２よりも大きい場合は、電力目標値の削減未達と判断して（Ｓ１１５）、電力削減制御の第３ステップヘ移行する。一方、照明負荷消費電力値の総和ｗが電力目標値ｗ＿Ｌｉｇｈｔ２以下の場合は、電力目標値の削減達成と判断し（Ｓ１１６）、総合監視装置１ＰＡから電力削減解除指示を受けるまで現在の動作状態を保持する（Ｓ１１７）。ｗ≦Ｗ＿Ｌｉｇｈｔ２となり電力目標値の削減を達成した場合においても、各サブシステムの電力監視状況によって更なる電力削減が必要な場合は、電力削減制御の第３ステップに移行する。
【００２４】
第３ステップにおいても、第１ステップ、第２ステップと同様の手順によって（Ｓ１１８〜Ｓ１２１）、照明器具２１ＰＡの点灯レベルを７０％に下げるランプ電力制御を行うことにより、各照明サブシステム２ＰＡの電力削減制御を行う（図３０参照）。ただし、照明器具２１ＰＡの点灯レベルを７０％に下げるランプ電力制御は、総合監視装置１ＰＡより電力削減解除が通知されるまで保持される（Ｓ１２２）。
【００２５】
なお、照明サブシステム２ＰＡ以外の各種サブシステムにおいても、上記と同様に、総合監視装置１ＰＡで算出された電力削減指示に基づいて、負荷機器の電力削減制御が行われる。
【００２６】
（第３従来技術）
第３従来技術のマネジメントシステムでは、第２従来技術と同様に、総合監視装置における消費電力監視部が、各サブシステム（負荷制御システム）の消費電力を監視し、各サブシステムの消費電力が予め規定された電力量を超えると電力削減要求を出す。電力目標値管理部は、消費電力監視部から電力削減要求を制御部経由で受けると、各サブシステムの消費電力を削減するための電力目標値を設定する。制御判断部は、例えば、各照明サブシステムに対し、電力目標値管理部で設定された電力目標値を実現するための点灯レベルを一律１０％下げる制御動作パターンを算出して制御部に出力する。制御部は、制御動作パターン算出結果に基づいて、各照明サブシステムを制御するための電力削減制御信号を生成し、ビルネットワークインターフェイスを介して出力する。
【００２７】
各照明サブシステム内の照明制御コントローラは、総合監視装置からの電力割減制御信号を受信すると、電力削減制御信号の内容に従って、図３１に示すように、照明制御コントローラに接続されている照明器具の点灯レベルを一律１０％下げる制御を行い、電力目標値の削減を達成するまで電力削減制御を行う。
【００２８】
なお、特開平１１−４５７８２号公報（特許文献１）には、伝送線によって主制御装置に照明負荷調光用を含む１乃至複数の端末器を接続し、主制御装置では照明負荷の調光出力値を調光制御データとして伝送線を介して調光用端末器に伝送し、調光用端末機は調光出力値に応じて照明負荷を調光する調光監視制御システムが記載されている。
【００２９】
【特許文献１】
特開平１１−４５７８２号公報
【００３０】
【発明が解決しようとする課題】
第１従来技術では、電力監視、電力削減制御の機能が総合監視装置に集中しており、システム規模が大きくなると、各サブシステムの消費電力監視、電力削減のための制御動作パターン算出時の演算処理において、総合監視装置の負担が重くなる問題がある。また、上記の機能を実現するには、総合監視装置内の消費電力監視部、制御判断部、制御部に高機能な演算処理機能を必要とし、総合監視装置自体が高コストになってしまう。
【００３１】
第２従来技術の電力削減制御では、第１従来技術と同様に、電力削減制御の動作判断機能が総合監視装置に集中する。照明、空調などの各サブシステムの電力削減制御の内容がすべて総合監視装置内で算出され、各サブシステムにおいては総合監視装置の指示内容に沿って制御を実行する。このため、システム規模が大きくなると、各サブシステムの消費電力監視、電力削減のための制御動作パターン算出時の演算処理において、総合監視装置の負担が重くなる課題があり、上記と同様の問題が生じる。
【００３２】
また、照明サブシステム内の照明器具においては、総合監視装置からの指示に従って全て照明器具が同一の制御を行うため、照明器具それぞれの動作状態、設置状態に最適な電力制御を行うことができず、必ずしも効率的な照明電力の削減が行われているとはいえない。照明器具個別の動作状態に基づいた電力制御を判断するには、照明サブシステムの末端負荷である照明器具のそれぞれから総合監視装置に対して動作状態情報をフィードバックすることが必要である。しかし、その場合、ビル設備ネットワークの通信トラフィックの増大とともに、総合監視装置において膨大な量の情報について演算処理を行う必要があり、総合監視装置に多大な負担が掛かってしまう問題がある。
【００３３】
また、全ての照明器具が同様に点灯制御を行うため、電力削減制御を受ける照明器具が設置されている場所では、照度が低下することによって周辺の空間の雰囲気が悪くなるなど、業務の生産性が低下する恐れがある。
【００３４】
第３従来技術では、図３１に示したように、休憩室、廊下などの共有場所と執務室とが混在している場合に、業務における照度を確保する必要のある執務室でも、多少照度を下げても業務に支障の少ない共有場所でも一律同じ照明制御を行うため、執務室で執務中の在席者にとっては照度低下により視環境が変化し、作業環境が悪化してしまう問題があった。照度が下がることによって周辺の空間の雰囲気が悪くなるなどすれば心理的悪影響を受け、業務の生産性低下の原因となる。
【００３５】
本発明は、上記事情に鑑みてなされたものであり、システム規模が大きくなっても、総合監視装置にかかる負担が勢い増大することなく、高コストの総合監視装置を必要としない負荷制御システムおよびマネジメントシステムを提供することを目的とする。
【００３６】
【課題を解決するための手段】
上記課題を解決するための請求項１記載の発明は、負荷機器およびこの負荷機器の制御を行うコントローラを含むサブシステムと、このサブシステム内の負荷機器による消費電力を監視する消費電力監視手段を持ち、この消費電力監視手段によって監視されている消費電力を低減する必要がある場合に前記サブシステム内のコントローラに電力削減指示を出す総合監視装置とをネットワークに接続して構築されるマネジメントシステムに含まれる少なくとも１つの前記サブシステムによりなる負荷制御システムであって、前記コントローラは、前記総合監視装置から電力削減指示を受けると、自己が属するサブシステム内の負荷機器に対し、現在の負荷出力レベルよりも低い負荷出力レベルを求めてこの負荷出力レベルで動作させるように制御を行うことを特徴とする。
【００３７】
請求項２記載の発明は、請求項１記載の負荷制御システムにおいて、前記サブシステムは、前記負荷機器を複数含み、前記コントローラは、前記総合監視装置から電力削減指示を受けると、自己が属するサブシステム内の各負荷機器を優先度別に区分し、これら優先度別に区分した各負荷機器のうち、少なくとも一つの優先度に区分した負荷機器に対し、現在の負荷出力レベルよりも低い負荷出力レベルを求めてこの負荷出力レベルで動作させるように制御を行うことを特徴とする。
【００３８】
請求項３記載の発明は、請求項２記載の負荷制御システムにおいて、前記各負荷機器は、自己の動作状態情報を取得する動作状態情報取得手段およびこの動作状態情報取得手段で取得された動作状態情報を自己が属するサブシステム内のコントローラに送信する通信手段を有し、前記コントローラは、前記各負荷機器からの動作状態情報を受信する通信手段を有し、自己が属するサブシステム内の各負荷機器を優先度別に区分するとき、当該コントローラの通信手段で受信される前記各負荷機器からの動作状態情報を基に前記各負荷機器を優先度別に区分することを特徴とする。
【００３９】
請求項４記載の発明は、請求項３記載の負荷制御システムにおいて、前記動作状態情報取得手段は、自己を具備する負荷機器の現在の負荷出力レベルを前記動作状態情報として取得し、前記コントローラは、前記各負荷機器からの動作状態情報を基に優先度別に区分した各負荷機器のうち、少なくとも負荷出力レベルが最も高くなる優先度に区分した負荷機器に対し、現在の負荷出力レベルよりも低い負荷出力レベルを求めてこの負荷出力レベルで動作させるように制御を行うことを特徴とする。
【００４０】
請求項５記載の発明は、請求項３記載の負荷制御システムにおいて、前記負荷機器は照明器具であり、前記動作状態情報取得手段は、自己が属するサブシステムに自己を具備する負荷機器が接続されてからの累積点灯時間を前記動作状態情報として取得し、前記コントローラは、前記各負荷機器からの動作状態情報を基に優先度別に区分した各負荷機器のうち、少なくとも累積点灯時間が最も短くなる優先度に区分した照明器具に対し、現在の負荷出力レベルよりも低い負荷出力レベルを求めてこの負荷出力レベルで動作させるように制御を行うことを特徴とする。
【００４１】
請求項６記載の発明は、請求項２記載の負荷制御システムにおいて、前記コントローラは、自己が属するサブシステム内の各負荷機器を優先度別に区分するとき、それら各負荷機器の設置場所情報を基に前記各負荷機器を優先度別に区分することを特徴とする。
【００４２】
請求項７記載の発明は、請求項２記載の負荷制御システムにおいて、前記コントローラは、自己が属するサブシステム内の各負荷機器を優先度別に区分するとき、それら各負荷機器の種類情報を基に前記各負荷機器を優先度別に区分することを特徴とする。
【００４３】
請求項８記載の発明は、請求項２記載の負荷制御システムにおいて、前記コントローラは、自己が属するサブシステム内の各負荷機器を優先度別に区分するとき、それら各負荷機器の設置場所に居る人の個人情報を基に前記各負荷機器を優先度別に区分することを特徴とする。
【００４４】
請求項９記載の発明は、請求項２記載の負荷制御システムにおいて、前記コントローラは、自己が属するサブシステム内の各負荷機器を優先度別に区分するとき、それら各負荷機器の設置場所で行われる業務内容の情報を基に前記各負荷機器を優先度別に区分することを特徴とする。
【００４５】
請求項１０記載の発明のマネジメントシステムは、請求項１から９のいずれかに記載の負荷制御システムと、この負荷制御システム内の負荷機器による消費電力を監視する消費電力監視手段を持ち、この消費電力監視手段によって監視されている消費電力を低減する必要がある場合に前記負荷制御システム内のコントローラに電力削減指示を出す総合監視装置とをネットワークに接続して構築されることを特徴とする。
【００４６】
【発明の実施の形態】
（第１実施形態）
図１は本発明による第１実施形態のマネジメントシステムの構成図、図２は図１中の照明器具の構成図である。
【００４７】
第１実施形態のマネジメントシステムは、図１に示すように、総合監視装置１と、複数の照明サブシステム２とをビル設備ネットワークの配線Ｌ１に接続して構成されるビル設備（機器）である。
【００４８】
総合監視装置１は、複数のサブシステム（図１の例では少なくとも照明サブシステム）との信号送受信用のビルネットワークインターフェイス１１を第１，第２従来技術と同様に備えているほか、それら従来技術との相違点として、消費電力監視部１２と、制御部１０とを備えている。
【００４９】
消費電力監視部１２は、複数のサブシステム内の各負荷機器による消費電力を監視するものである。具体的には、ビルネットワークインターフェイス１１を介して、複数のサブシステムの各々からサブシステムの消費電力値（以下「サブシステム消費電力値」という）を取得し、これらのサブシステム消費電力値を合計して各サブシステム全体の消費電力値（以下「システム消費電力値」という）を算出し、このシステム消費電力値が自己に保持してある消費電力規定値を超えるか否かに応じて電力削減要求を出すか否かを判断するように構成される。電力削減指示には、例えば電力削減レベル１、電力削減レベル２，…の順に削減量が多くなる複数のレベルがあり、そのレベルに応じた消費電力規定値がそのレベルの電力削減要求を出すか否かを判断するために使用される。なお、上記システム消費電力値は、各サブシステム全体の消費電力値になっているが、少なくとも１つの照明サブシステムにより構成される照明制御システムや、少なくとも１つの空調サブシステムにより構成される空調制御システムなどの各種負荷制御システム単位で算出される構成でもよい。
【００５０】
制御部１０は、各サブシステムの動作状態および消費電力監視部１２による監視結果などに基づいて、ビルネットワークインターフェイス１１を介して各サブシステムに指示を出すなど、マネジメントシステム全般の制御などの処理を行うものである。例えば、消費電力監視部１２によって電力削減要求を出すと判断されると、電力削減指示信号を生成してビルネットワークインターフェイス１１を介して各サブシステムに送信する処理が実行される。電力削減指示信号は、電力削減要求が出たことのみを通知するものであり、負荷制御動作の具体的な内容を含まない。
【００５１】
照明サブシステム２は、複数の、負荷機器としての照明器具２１と、これらの照明器具２１と照明信号線Ｌ２を介して接続され、各照明器具２１の制御を行う照明制御コントローラ２０とを備えている。
【００５２】
照明器具２１は、例えば図２に示すように、照明制御コントローラ２０との信号送受信用の信号送受信部２１１と、光源としてのランプ負荷ＬＤと接続され、後述の制御部２１０による制御に従ってランプ負荷ＬＤを点灯、消灯または調光する点灯装置２１２と、ランプ負荷ＬＤの点灯レベル（例えばいわゆるランプ電圧およびランプ電流のレベル）を検出する点灯レベル検出回路２１３とを備えているとともに、制御部２１０を備えている。
【００５３】
この制御部２１０は、照明器具２１全般の制御などの処理、例えば、照明制御信号の信号処理、照明器具２１の動作状態情報信号の生成処理および点灯装置２１２の制御などを行うものである。より具体的には、照明制御コントローラ２０からの照明制御信号が信号送受信部２１１で受信されると、その照明制御信号に含まれる制御内容（制御動作パターン）に従って点灯装置２１２を制御することにより、ランプ負荷ＬＤを点灯、消灯または調光する制御（電力制御）が実行される。また、点灯レベル検出回路２１３で検出された現在の点灯レベルと、予め保持しているランプ負荷ＬＤの定格ランプ消費電力値とに基づいて、照明器具２１の消費電力値（以下「負荷消費電力値」という）の情報を作成し、信号送受信部２１１を介して照明制御コントローラ２０に送信する処理が実行される。ここで、定格ランプ消費電力値が使用されるのは、電力制御のために調光率を知る必要があるからである。
【００５４】
図１に戻って、照明制御コントローラ２０は、総合監視装置１との信号送受信用のビルネットワークインターフェイス２０１と、自己が属する照明サブシステム２内の各照明器具２１との信号送受信用の信号送受信部２０２と、制御動作パターンに合う照明制御信号を生成する照明制御信号生成部２０３とを第２従来技術と同様に備えているほか、第２従来技術との相違点として、電力目標値管理部２０４と、制御判断部２０５と、演算処理部２００とを備えている。
【００５５】
電力目標値管理部２０４は、自己が属する照明サブシステム２内の各照明器具２１の消費電力の目標値（以下「サブシステム目標値」という）を設定するものである。サブシステム目標値は、電力削減指示の電力削減レベルに応じて設定される。
【００５６】
制御判断部２０５は、電力目標値管理部２０４で設定されたサブシステム目標値に合わせて、各照明器具２１の制御動作パターンを作成（算出）するものである。例えば、自己が属する照明サブシステム２内の各照明器具２１の少なくとも一部に対して、現在の負荷出力レベルとしての負荷消費電力値よりも小さい負荷消費電力値を個別目標値として求めてこの個別目標値で動作させるための制御動作パターンが作成される。
【００５７】
演算処理部２００は、演算処理を通じて照明サブシステム２全般の制御などの処理を行うものであり、例えば、信号送受信部２０２を介して各照明器具２１から負荷消費電力値を取得すると、これら負荷消費電力値を加算してサブシステム消費電力値を求め、ビルネットワークインターフェイス２０１を介してそのサブシステム消費電力値を総合監視装置１に送信する処理を行う。また、総合監視装置１からの電力削減指示信号がビルネットワークインターフェイス２０１で受信されると、電力目標値管理部２０４および制御判断部２０５と協調して上記制御動作パターンを作成するための処理が実行される。さらに、その制御動作パターンに合う照明制御信号が照明制御信号生成部２０３で生成されると、信号送受信部２０２を介してその照明制御信号を各照明器具２１に送信する処理が実行される。
【００５８】
次に第１実施形態のマネジメントシステムの動作について説明する。各照明サブシステム２の各照明器具２１において、点灯レベル検出回路２１３で検出された現在の点灯レベルと定格ランプ消費電力値とから負荷消費電力値の情報が作成され、信号送受信部２１１を介して照明制御コントローラ２０に送信される。
【００５９】
各照明サブシステム２の照明制御コントローラ２０において、照明サブシステム２内の各照明器具２１からの負荷消費電力値の情報が信号送受信部２０２を介して取得されると、それら負荷消費電力値を加算することによりサブシステム消費電力値が求められる。この後、そのサブシステム消費電力値は、ビルネットワークインターフェイス２０１を介して総合監視装置１に送信される。
【００６０】
総合監視装置１において、照明サブシステム２などの各サブシステムからのサブシステム消費電力値がビルネットワークインターフェイス１１を介して取得されると、それらサブシステム消費電力値を合計することによりシステム消費電力値が算出される。この後、システム消費電力値が消費電力規定値を超えるか否かに応じて電力削減要求を出すか否かの判断が行われる。そして、電力削減要求を出さないとの判断が行われると、マネジメントシステムの現在の動作状態が維持される一方、電力削減要求を出すとの判断が行われると、電力削減指示信号が生成されてビルネットワークインターフェイス１１を介して各サブシステムに送信される。ここでは、例えば電力削減レベル１の電力削減指示信号が生成されて送信されるとする。
【００６１】
各照明サブシステム２の照明制御コントローラ２０において、総合監視装置１からの電力削減レベル１の電力削減指示信号がビルネットワークインターフェイス２０１で受信されると、電力削減レベル１に対応する電力削減制御モードに移行する。そして、演算処理部２００の指示、転送および信号処理等の協調下で、電力目標値管理部２０４によって電力削減レベル１用のサブシステム目標値が設定され、これに合わせて制御判断部２０５によって、照明サブシステム２内の各照明器具２１の少なくとも一部に対し、現在の負荷消費電力値よりも小さい個別目標値が求められ、この個別目標値で動作させるための制御動作パターンが作成される。続いて、その制御動作パターンに合う照明制御信号が照明制御信号生成部２０３によって生成されて、信号送受信部２０２から各照明器具２１に送信される。
【００６２】
各照明サブシステム２の各照明器具２１において、照明制御コントローラ２０からの照明制御信号が信号送受信部２１１で受信されると、その照明制御信号に含まれる制御内容（制御動作パターン）に従って制御部２１０が点灯装置２１２を制御することにより、ランプ負荷ＬＤが点灯、消灯または調光される。このとき、各照明サブシステム２内の各照明器具２１の少なくとも一部の負荷消費電力値が、上記個別目標値になるように低減する。
【００６３】
続いて、制御部２１０によって、点灯レベル検出回路２１３で検出された現在の点灯レベルと定格ランプ消費電力値とから負荷消費電力値の情報が作成され、信号送受信部２１１を介して照明制御コントローラ２０に送信される。なお、この負荷消費電力値の情報の送信処理は、定格ランプ消費電力値を照明制御コントローラ２０に既に送っているなら、省略可能である。
【００６４】
各照明サブシステム２の照明制御コントローラ２０において、最新の各負荷消費電力値からサブシステム消費電力値が算出されサブシステム目標値以下であるか否かの判断が行われる。ここで、各照明器具２１から負荷消費電力値の情報が送信される場合には、それら負荷消費電力値を加算することによりサブシステム消費電力値が算出される。一方、各照明器具２１に対する照明制御信号に含まれる制御内容が調光率であり、各照明器具２１の定格ランプ消費電力値を保持している場合には、その定格ランプ消費電力値に調光率を乗じることにより負荷消費電力値を算出し、各照明器具２１の負荷消費電力値を加算することにより、サブシステム消費電力値が算出される。
【００６５】
そして、サブシステム消費電力値がサブシステム目標値以下であれば、演算処理部２００によって目標達成と判断され、マネジメントシステムの現在の動作状態が維持される。またこのとき、上記サブシステム消費電力値が総合監視装置１に送信される。なお、この後、総合監視装置１から電力削減解除信号が送信されると、その電力削減解除信号に従って通常動作用として予め設定された消費電力（例えば定格ランプ消費電力値）で各照明器具２１が動作する。
【００６６】
一方、サブシステム消費電力値がサブシステム目標値を超えて、演算処理部２００によって目標未達成と判断されるか、または電力削減レベル２に切り替えられるかすれば、電力削減レベル２に対応する電力削減制御モードに移行する。そして、電力目標値管理部２０４によって電力削減レベル２用のサブシステム目標値が設定され、これに合わせて制御判断部２０５によって、照明サブシステム２内の各照明器具２１の少なくとも一部に対し、現在の負荷消費電力値よりも小さい個別目標値が求められ、この個別目標値で動作させるための制御動作パターンが作成される。続いて、その制御動作パターンに合う照明制御信号が照明制御信号生成部２０３によって生成されて、信号送受信部２０２から各照明器具２１に送信される。
【００６７】
各照明サブシステム２の各照明器具２１において、照明制御コントローラ２０からの照明制御信号が信号送受信部２１１で受信されると、その照明制御信号に含まれる制御内容（制御動作パターン）に従って制御部２１０が点灯装置２１２を制御することにより、ランプ負荷ＬＤが点灯、消灯または調光される。このとき、各照明サブシステム２内の各照明器具２１の少なくとも一部の負荷消費電力値が、上記個別目標値になるようにさらに低減する。
【００６８】
各照明サブシステム２の照明制御コントローラ２０において、最新の各負荷消費電力値からサブシステム消費電力値が算出されサブシステム目標値以下であるか否かの判断が行われる。
【００６９】
そして、サブシステム消費電力値がサブシステム目標値以下であれば、演算処理部２００によって目標達成と判断され、マネジメントシステムの現在の動作状態が維持される。またこのとき、上記サブシステム消費電力値が総合監視装置１に送信される。なお、この後、総合監視装置１から電力削減解除信号が送信されると、その電力削減解除信号に従って通常動作用として予め設定された消費電力で各照明器具２１が動作する。
【００７０】
一方、サブシステム消費電力値がサブシステム目標値を超えて、演算処理部２００によって目標未達成と判断されるか、または電力削減レベル３以上のレベルに切り替えられるかすれば、その電力削減レベル３以上に対応する電力削減制御モードに移行し、上記と同様の処理が実行される。なお、電力削減レベルが電力削減量の最大レベルである場合には、図２９のステップＳ１２２と同様に、総合監視装置１から電力削減解除信号が送信されるまで、最大の電力削減レベルの動作状態が維持されるようにしてもよい。
【００７１】
以上、第１実施形態によれば、各照明サブシステム２に含まれる照明制御コントローラ２０が、自己の属する照明サブシステム２内の各照明器具２１の少なくとも一部に対し、現在の負荷消費電力値よりも小さい個別目標値を求めてこの個別目標値で動作させるように制御を行うので、総合監視装置１は、電力削減指示を与えるだけで各照明器具２１の具体的な制御を行う必要がなくなるため、総合監視装置１の演算処理の負担を軽減することができ、その構成を簡単にして安価にすることができる。これにより、システム規模が大きくなっても、総合監視装置にかかる負担が勢い増大することなく、高コストの総合監視装置を必要としないマネジメントシステム等を提供することができる。
【００７２】
（第２実施形態）
図３は本発明による第２実施形態のマネジメントシステムの構成図、図４は図３中の照明器具の構成図、図５は図３中の照明制御コントローラによる消費電力低減の原理説明図、図６は同照明制御コントローラで利用されるデータテーブル例を示す図、図７は第２実施形態のマネジメントシステムの動作説明図である。
【００７３】
第２実施形態のマネジメントシステムは、図３に示すように、第１実施形態と同様の総合監視装置１と、第１実施形態とは異なる複数の照明サブシステム２Ａとをビル設備ネットワークの配線Ｌ１に接続して構成されている。
【００７４】
ただし、第２実施形態の電力削減指示には、電力削減量の異なる３つのレベルがあり、電力削減レベル１、電力削減レベル２、電力削減レベル３の順に照明サブシステムに対する電力削減量が多くなるとする。
【００７５】
照明サブシステム２Ａは、複数の、負荷機器としての照明器具２１Ａと、これらの照明器具２１Ａと照明信号線Ｌ２を介して接続され、各照明器具２１Ａの制御を行う照明制御コントローラ２０Ａとを備えている。
【００７６】
照明器具２１Ａは、図４に示すように、信号送受信部２１１と、点灯レベル検出回路２１３とを第１実施形態の照明器具２１と同様に備えているほか、照明器具２１との相違点として、計時用のタイマ回路２１４と、点灯装置２１２Ａと、制御部２１０Ａとを備え、固有アドレス（以下「照明器具アドレス」という）が付与されている。
【００７７】
点灯装置２１２Ａは、第１実施形態の点灯装置２１２と同様に、制御部２１０Ａによる制御に従ってランプ負荷ＬＤを点灯、消灯または調光するが、点灯装置２１２との相違点として、ランプ負荷ＬＤを調光する場合、人の目の被視感度に合わせてランプ負荷ＬＤを調光することができるように構成されている（図５参照）。
【００７８】
制御部２１０Ａは、第１実施形態の制御部２１０との相違点として、照明制御コントローラ２０Ａからの、自己の照明器具アドレスを含む照明制御信号が信号送受信部２１１で受信されると、その照明制御信号に含まれる制御内容に従って点灯装置２１２Ａを制御する。また、点灯レベル検出回路２１３で検出された現在の点灯レベルおよび予め保持しているランプ負荷ＬＤの定格ランプ消費電力値に基づいて、照明器具２１Ａの消費電力値（負荷消費電力値）の情報を、自己の照明器具アドレスとともに動作状態情報として、信号送受信部２１１を介して照明制御コントローラ２０Ａに送信する処理が実行される。
【００７９】
この動作状態情報の送信処理は、信号送受信部２１１を介して照明制御コントローラ２０Ａから点灯レベル回答要求を受けたときに実行される。なお、点灯レベル回答要求は、総合監視装置１が各照明サブシステム２Ａにサブシステム消費電力値の回答要求を出したときにも、その回答要求に応じて照明制御コントローラ２０Ａから出されるように構成してもよい。また、上記処理はさらに定期的に実行されるようにしてもよい。
【００８０】
照明制御コントローラ２０Ａは、図３に示すように、ビルネットワークインターフェイス２０１と、信号送受信部２０２と、電力目標値管理部２０４とを第１実施形態の照明制御コントローラ２０と同様に備えているほか、照明制御コントローラ２０との相違点として、演算処理部２００Ａと、制御判断部２０５Ａと、照明制御信号生成部２０３Ａとを備えている。なお、第２実施形態では、照明サブシステム２Ａ内の各照明器具２１Ａの一部または全部に対し、個別目標値で動作させるように制御が行われるので、電力目標値管理部２０４は、その制御対象となる各照明器具２１Ａの消費電力の目標値（サブシステム目標値）を設定するものとなる。
【００８１】
演算処理部２００Ａは、第１実施形態の演算処理部２００との相違点として、制御判断部２０５Ａから点灯レベル回答要求が出されると、これを信号送受信部２０２を介して各照明器具２１Ａに送信し、この後、信号送受信部２０２を介して各照明器具２１Ａから動作状態情報を取得すると、図６に示すように、照明器具アドレスに負荷消費電力値（図では「点灯レベル」）を対応付けたデータテーブルを作成して制御判断部２０５Ａに渡す処理をさらに実行する。ここで、図６に示す「点灯レベル」は、定格ランプ消費電力値に対する点灯レベル検出回路２１３で検出された現在の点灯レベルの割合となっている。
【００８２】
制御判断部２０５Ａは、第１実施形態の制御判断部２０５との相違点として、電力目標値管理部２０４によってサブシステム目標値が設定されると、点灯レベル回答要求を出し、この後、演算処理部２００Ａから上記データテーブルが得られると、これを利用して制御動作パターンを作成するものである。
【００８３】
つまり、データテーブルを利用して、照明サブシステム２Ａ内の各照明器具２１Ａを優先度別に区分し、これら優先度別に区分した各照明器具２１Ａのうち、少なくとも一つの優先度に区分した照明器具２１Ａに対し、現在の負荷消費電力値よりも小さい個別目標値を求め、この個別目標値で動作させるための制御動作パターンを作成する処理がなされる。
【００８４】
より具体的には、データテーブルを使用し、図６に示すように、現在の負荷消費電力値（「点灯レベル」）を基に降順にソートし、点灯レベルが例えば９０％以上になる組みを優先度第１位とし、点灯レベルが例えば９０％未満で８０％以上となる組みを優先度第２位として、照明サブシステム２Ａ内の各照明器具２１Ａを優先度別に区分する処理が実行される。
【００８５】
そして、第１の電力削減指示信号（図７では電力削減レベル１）の場合には、優先度別に区分した各照明器具２１Ａのうち、優先度第１位に区分した各照明器具２１Ａに対し、現在の負荷消費電力値よりも例えば１０％小さい個別目標値が求められ、この個別目標値で動作させるための制御動作パターンが作成される。
【００８６】
第２の電力削減指示信号（電力削減レベル２）の場合または目標未達成の場合には、優先度別に区分した各照明器具２１Ａのうち、優先度第２位に区分した各照明器具２１Ａに対しても、現在の負荷消費電力値よりも例えば１０％小さい個別目標値が求められ、この個別目標値で動作させるための制御動作パターンが作成される。
【００８７】
第３の電力削減指示信号（電力削減レベル３）または目標未達成の場合には、優先度に関係なく、照明サブシステム２Ａ内の各照明器具２１Ａに対し、負荷消費電力値を（例えば、現在の負荷消費電力値から、あるいはトータルで）一律例えば３０％下げる個別目標値が求められ、この個別目標値で動作させるための制御動作パターンが作成される。
【００８８】
照明制御信号生成部２０３Ａは、照明器具アドレスを含み制御動作パターンに合う照明制御信号を生成するものである。つまり、照明制御信号には、第１の電力削減指示信号の場合には優先度第１位に区分した各照明器具２１Ａの照明器具アドレスが含められ、第２の電力削減指示信号または目標未達成の場合には優先度第２位に区分した各照明器具２１Ａの照明器具アドレスが含められ、第３の電力削減指示信号または目標未達成の場合には照明サブシステム２Ａ内の各照明器具２１Ａの照明器具アドレスが含められる。
【００８９】
次に第２実施形態のマネジメントシステムの動作について説明する。各照明サブシステム２Ａの各照明器具２１Ａにおいて、点灯レベル検出回路２１３で検出された現在の点灯レベル（消費電力値）と定格ランプ消費電力値とに基づいて、照明器具２１Ａの消費電力値（負荷消費電力値）の情報が照明器具アドレスとともに動作状態情報として、信号送受信部２１１を介して照明制御コントローラ２０Ａに送信される。
【００９０】
各照明サブシステム２Ａの照明制御コントローラ２０Ａにおいて、照明サブシステム２Ａ内の各照明器具２１Ａからの動作状態情報が信号送受信部２０２を介して取得されると、各負荷消費電力値を加算することによりサブシステム消費電力値が求められる。この後、そのサブシステム消費電力値は、ビルネットワークインターフェイス２０１を介して総合監視装置１に送信される。
【００９１】
総合監視装置１において、各照明サブシステム２Ａからのサブシステム消費電力値がビルネットワークインターフェイス１１を介して取得されると、それらサブシステム消費電力値を合計することによりシステム消費電力値が算出される。この後、システム消費電力値が消費電力規定値を超えるか否かに応じて電力削減要求を出すか否かの判断が行われる。そして、電力削減要求を出さないとの判断が行われると、マネジメントシステムの現在の動作状態が維持される一方、電力削減要求を出すとの判断が行われると、電力削減指示信号が生成されてビルネットワークインターフェイス１１を介して各照明サブシステム２Ａに送信される。ここでは、例えば電力削減レベル１の電力削減指示信号が生成されて送信されたとする。
【００９２】
各照明サブシステム２Ａの照明制御コントローラ２０Ａにおいて、総合監視装置１からの電力削減レベル１の電力削減指示信号がビルネットワークインターフェイス２０１で受信されると（図７のＳ１）、電力削減レベル１に対応する電力削減制御モードに移行する。そして、演算処理部２００Ａの指示により、電力削減レベル１用のサブシステム目標値が電力目標値管理部２０４によって設定される。続いて、演算処理部２００Ａからの制御動作パターン作成指示の後、制御判断部２０５Ａによって点灯レベル回答要求が出され、演算処理部２００Ａとの協調により信号送受信部２０２を介して各照明器具２１Ａに送信される（Ｓ２）。
【００９３】
各照明サブシステム２Ａの各照明器具２１Ａにおいて、信号送受信部２１１を介して照明制御コントローラ２０Ａからの点灯レベル回答要求が受信されると、動作状態情報が信号送受信部２１１を介して照明制御コントローラ２０Ａに送信される（Ｓ３）。
【００９４】
各照明サブシステム２Ａの照明制御コントローラ２０Ａにおいて、信号送受信部２０２を介して各照明器具２１Ａから動作状態情報が取得されると、演算処理部２００Ａによって照明器具アドレスに負荷消費電力値を対応付けたデータテーブルが作成される。この後、制御判断部２０５Ａによって、データテーブルを基に照明サブシステム２Ａ内の各照明器具２１Ａが優先度別に区分され、優先度第１位に区分した照明器具２１Ａに対し、現在の負荷消費電力値よりも１０％小さい個別目標値が求められ、この個別目標値で動作させるための制御動作パターンが作成される。この後、優先度第１位に区分した照明器具２１Ａの照明器具アドレスを含み制御動作パターンに合う照明制御信号が照明制御信号生成部２０３Ａによって生成され、信号送受信部２０２から各照明器具２１Ａに送信される（Ｓ４）。
【００９５】
各照明サブシステム２Ａの各照明器具２１Ａにおいて、照明制御コントローラ２０Ａからの、自己の照明器具アドレスを含む照明制御信号が信号送受信部２１１で受信されると、その照明制御信号に含まれる制御内容（制御動作パターン）に従って制御部２１０Ａが点灯装置２１２Ａを制御することにより、ランプ負荷ＬＤが調光される（Ｓ５）。このとき、優先度第１位に区分された照明器具２１Ａの負荷消費電力値が１０％低減する。
【００９６】
各照明サブシステム２Ａの照明制御コントローラ２０Ａにおいて、演算処理部２００Ａによって、最新の各負荷消費電力値からサブシステム消費電力値が算出され、サブシステム目標値以下であるか否かの判断が行われる（Ｓ６）。なお、定格ランプ消費電力値を受け取っていなければ、最新の各負荷消費電力値は、点灯レベル回答要求を出すことによって、あるいは動作状態情報を送信する処理が定期的または自動的に実行されることによって取得されるようにしてもよい。
【００９７】
そして、サブシステム消費電力値がサブシステム目標値以下であれば、演算処理部２００Ａによって目標達成と判断され、マネジメントシステムの現在の動作状態が維持される。またこのとき、上記サブシステム消費電力値が総合監視装置１に送信される。なお、この後、総合監視装置１から電力削減解除信号が送信されると、その電力削減解除信号に従って通常動作用として予め設定された消費電力で各照明器具２１Ａが動作する。
【００９８】
一方、サブシステム消費電力値がサブシステム目標値を超えて、演算処理部２００Ａによって目標未達成と判断されるか（Ｓ７）、または図２９で説明したように電力削減レベル２に切り替えられるか（Ｓ８）すれば、ステップＳ９に進んで電力削減レベル２に対応する電力削減制御モードに移行する。そして、電力削減レベル２用のサブシステム目標値が設定され、優先度第２位に区分した照明器具２１Ａに対し、現在の負荷消費電力値よりも１０％小さい個別目標値が求められ、この個別目標値で動作させるための制御動作パターンが作成される。なお、ステップＳ１の前に生成された電力削減指示信号が電力削減レベル２であれば、ステップＳ２〜Ｓ３と同様の手順で、電力削減レベル２用のサブシステム目標値を設定し、続いて、データテーブルを作成し、このデータテーブルを基に照明サブシステム２Ａ内の各照明器具２１Ａを優先度別に区分し、優先度第１位，第２位に区分した照明器具２１Ａに対し、現在の負荷消費電力値よりも１０％小さい個別目標値を求め、この個別目標値で動作させるための制御動作パターンを作成するようにしてもよい。
【００９９】
続いて、優先度第２位に区分された照明器具２１Ａの照明器具アドレスを含み制御動作パターンに合う照明制御信号が照明制御信号生成部２０３Ａによって生成され、信号送受信部２０２から各照明器具２１Ａに送信される。
【０１００】
各照明サブシステム２Ａの各照明器具２１Ａにおいて、照明制御コントローラ２０Ａからの、自己の照明器具アドレスを含む照明制御信号が信号送受信部２１１で受信されると、その照明制御信号に含まれる制御内容（制御動作パターン）に従って制御部２１０Ａが点灯装置２１２Ａを制御することにより、ランプ負荷ＬＤが調光される（Ｓ１０）。このとき、優先度第２位に区分された照明器具２１Ａの負荷消費電力値も１０％低減する。
【０１０１】
各照明サブシステム２Ａの照明制御コントローラ２０Ａにおいて、演算処理部２００Ａによって、最新の各負荷消費電力値からサブシステム消費電力値が算出され、電力削減レベル２用のサブシステム目標値以下であるか否かの判断が行われる（Ｓ１１）。
【０１０２】
そして、サブシステム消費電力値がサブシステム目標値以下であれば、演算処理部２００Ａによって目標達成と判断され、マネジメントシステムの現在の動作状態が維持される。またこのとき、上記サブシステム消費電力値が総合監視装置１に送信される。なお、この後、総合監視装置１から電力削減解除信号が送信されると、その電力削減解除信号に従って通常動作用として予め設定された消費電力で各照明器具２１Ａが動作する。
【０１０３】
一方、サブシステム消費電力値がサブシステム目標値を超えて、演算処理部２００Ａによって目標未達成と判断されるか（Ｓ１２）、または電力削減レベル３に切り替えられるか（Ｓ１３）すれば、ステップＳ１４に進んで電力削減レベル３に対応する電力削減制御モードに移行する。そして、電力削減レベル３用のサブシステム目標値が設定され、優先度に関係なく、照明サブシステム２Ａ内の各照明器具２１Ａに対し、負荷消費電力値を一律３０％下げる個別目標値が求められ、この個別目標値で動作させるための制御動作パターンが作成される。なお、ステップＳ１の前に生成された電力削減指示信号が電力削減レベル３であれば、電力削減レベル３用のサブシステム目標値を設定し、続いて、照明サブシステム２Ａ内の各照明器具２１Ａに対し、例えば負荷消費電力値を一律３０％下げる個別目標値を求め、この個別目標値で動作させるための制御動作パターンを作成するようにしてもよい。
【０１０４】
続いて、照明サブシステム２Ａ内の照明器具２１Ａの照明器具アドレスを含み制御動作パターンに合う照明制御信号が照明制御信号生成部２０３Ａによって生成され、信号送受信部２０２から各照明器具２１Ａに送信される。
【０１０５】
各照明サブシステム２Ａの各照明器具２１Ａにおいて、照明制御コントローラ２０Ａからの、自己の照明器具アドレスを含む照明制御信号が信号送受信部２１１で受信されると、その照明制御信号に含まれる制御内容（制御動作パターン）に従って制御部２１０Ａが点灯装置２１２Ａを制御することにより、ランプ負荷ＬＤが調光される（Ｓ１５）。このとき、各照明器具２１Ａの負荷消費電力値が３０％低減する。
【０１０６】
以上、第２実施形態によれば、照明サブシステム２Ａ内の各照明器具２１Ａを優先度別に区分し、これら優先度別に区分した各照明器具２１Ａのうち、少なくとも一つの優先度に区分した各照明器具２１Ａに対し、現在の負荷消費電力値よりも小さい個別目標値を求めてこの個別目標値で動作させるように制御を行うので、よりきめ細かな電力制御が可能となる。
【０１０７】
また、照明サブシステム２Ａ内の各照明器具２１Ａを優先度別に区分するとき、それら各照明器具２１Ａから動作状態情報を収集し、これら動作状態情報を基に各照明器具２１Ａを優先度別に区分するので、各照明器具２１Ａの動作状態に合わせた好適な電力制御が可能となる。
【０１０８】
さらに、負荷消費電力値および照明器具アドレスを動作状態情報として収集してこれを基に各照明器具２１Ａを優先度別に区分し、これら優先度別に区分した各照明器具２１Ａのうち、少なくとも負荷消費電力値が最も大きくなる優先度に区分した照明器具２１Ａに対し、現在の負荷消費電力値よりも小さい個別目標値を求めてこの個別目標値で動作させるように制御を行うので、図５からも分かるように、電力削減効果の大きい照明器具２１Ａから優先的に電力制御を行うことになり、全体の照度低下を抑えつつ効率的な電力削減制御が可能となる。また、優先度第１位，第２位に区分した照明器具２１Ａ別に電力制御を行うことで、各照明器具２１Ａに対して電力制御を行う場合よりも、全体の照度低下を抑えることができ、視環境変化の影響も改善される。
【０１０９】
（第３実施形態）
図８は本発明による第３実施形態のマネジメントシステムにおける照明制御コントローラで利用されるデータテーブル例を示す図、図９は同照明制御コントローラによる消費電力低減の原理説明図、図１０は第３実施形態のマネジメントシステムの動作説明図である。
【０１１０】
第３実施形態のマネジメントシステムは、第２実施形態の図３，図４の構成とほぼ同様であり、累積点灯時間返答要求に応じて、タイマ回路２１４から得られる累積点灯時間（照明器具２１Ａの取付以降の累積点灯時間）、および照明器具アドレスを動作状態情報として返信する点、照明器具アドレスに累積点灯時間を対応付けてデータテーブルを作成する点、図８に示すように、累積点灯時間を基に昇順にデータテーブル内の各組みのデータをソートし、累積点灯時間が１０００時間以下になる組みを優先度第１位とし、累積点灯時間が１０００時間を超え２０００時間以下になる組みを優先度第２位とする点で、第２実施形態と相違している。
【０１１１】
また、第３実施形態では、ランプ負荷ＬＤとして蛍光ランプなどの放電ランプが使用される。この場合、ランプ負荷ＬＤの光出力は、図９に示すように、点灯時間が経過するにつれて低下していく光束減衰特性を示す。つまり、同一消費電力の場合、光出力は累積点灯時間によって異なり、累積点灯時間の短い光出力は長い光出力よりも大きい。
【０１１２】
次に第３実施形態のマネジメントシステムの動作について説明する。第２実施形態と同様の手順を経て、総合監視装置１において、電力削減要求を出すとの判断が行われると、電力削減指示信号が生成されてビルネットワークインターフェイス１１を介して各サブシステムに送信される。ここでは、例えば電力削減レベル１の電力削減指示信号が生成されて、総合監視装置１から各照明サブシステム２Ａに送信されたとする。
【０１１３】
各照明サブシステム２Ａの照明制御コントローラ２０Ａにおいて、図１０に示すように、総合監視装置１からの電力削減レベル１の電力削減指示信号がビルネットワークインターフェイス２０１で受信されると（Ｓ２１）、電力削減レベル１に対応する電力削減制御モードに移行する。そして、電力削減レベル１用のサブシステム目標値が電力目標値管理部２０４によって設定され、続いて、制御判断部２０５Ａによって累積点灯時間返答要求が出され、信号送受信部２０２を介して各照明器具２１Ａに送信される（Ｓ２２）。
【０１１４】
各照明サブシステム２Ａの各照明器具２１Ａにおいて、信号送受信部２１１を介して照明制御コントローラ２０Ａからの累積点灯時間返答要求が受信されると、タイマ回路２１４から累積点灯時間が取得され、この累積点灯時間および照明器具アドレスが動作状態情報として信号送受信部２１１を介して照明制御コントローラ２０Ａに送信される（Ｓ２３）。
【０１１５】
各照明サブシステム２Ａの照明制御コントローラ２０Ａにおいて、信号送受信部２０２を介して各照明器具２１Ａから動作状態情報が取得されると、演算処理部２００Ａによって照明器具アドレスに累積点灯時間を対応付けたデータテーブルが作成される。この後、制御判断部２０５Ａによって、データテーブルを基に照明サブシステム２Ａ内の各照明器具２１Ａが優先度別に区分され、優先度第１位に区分した照明器具２１Ａに対し、現在の負荷消費電力値よりも１０％小さい個別目標値が求められ、この個別目標値で動作させるための制御動作パターンが作成される。この後、優先度第１位に区分した照明器具２１Ａの照明器具アドレスを含み制御動作パターンに合う照明制御信号が照明制御信号生成部２０３Ａによって生成され、信号送受信部２０２から各照明器具２１Ａに送信される（Ｓ２４）。
【０１１６】
各照明サブシステム２Ａの各照明器具２１Ａにおいて、照明制御コントローラ２０Ａからの、自己の照明器具アドレスを含む照明制御信号が信号送受信部２１１で受信されると、その照明制御信号に含まれる制御内容（制御動作パターン）に従って制御部２１０Ａが点灯装置２１２Ａを制御することにより、ランプ負荷ＬＤが調光される（Ｓ２５）。このとき、優先度第１位に区分された照明器具２１Ａの負荷消費電力値が１０％低減する。
【０１１７】
各照明サブシステム２Ａの照明制御コントローラ２０Ａにおいて、演算処理部２００Ａによって、最新の各負荷消費電力値からサブシステム消費電力値が算出され、サブシステム目標値以下であるか否かの判断が行われる（Ｓ２６）。ここで、最新の各負荷消費電力値は、電力削減制御モードの移行の際に定格ランプ消費電力値が送られることにより、または点灯レベル回答要求を出すことによって取得されるようにしてもよく、あるいは照明器具２１Ａの消費電力値の情報を送信する処理が定期的または自動的に実行されることによって取得されるようにしてもよい。
【０１１８】
そして、サブシステム消費電力値がサブシステム目標値以下であれば、演算処理部２００Ａによって目標達成と判断され、マネジメントシステムの現在の動作状態が維持される。またこのとき、上記サブシステム消費電力値が総合監視装置１に送信される。なお、この後、総合監視装置１から電力削減解除信号が送信されると、その電力削減解除信号に従って通常動作用として予め設定された消費電力で各照明器具２１Ａが動作する。
【０１１９】
一方、サブシステム消費電力値がサブシステム目標値を超えて、演算処理部２００Ａによって目標未達成と判断されるか（Ｓ２７）、または電力削減レベル２に切り替えられるか（Ｓ２８）すれば、ステップＳ２９に進んで電力削減レベル２に対応する電力削減制御モードに移行する。そして、電力削減レベル２用のサブシステム目標値が設定され、優先度第２位に区分した照明器具２１Ａに対し、現在の負荷消費電力値よりも１０％小さい個別目標値が求められ、この個別目標値で動作させるための制御動作パターンが作成される。なお、ステップＳ２１の前に生成された電力削減指示信号が電力削減レベル２であれば、電力削減レベル２用のサブシステム目標値を設定し、続いて、データテーブルを作成し、このデータテーブルを基に照明サブシステム２Ａ内の各照明器具２１Ａを優先度別に区分し、優先度第１位，第２位に区分した照明器具２１Ａに対し、現在の負荷消費電力値よりも１０％小さい個別目標値を求め、この個別目標値で動作させるための制御動作パターンを作成するようにしてもよい。
【０１２０】
続いて、優先度第２位に区分された照明器具２１Ａの照明器具アドレスを含み制御動作パターンに合う照明制御信号が照明制御信号生成部２０３Ａによって生成され、信号送受信部２０２から各照明器具２１Ａに送信される。
【０１２１】
各照明サブシステム２Ａの各照明器具２１Ａにおいて、照明制御コントローラ２０Ａからの、自己の照明器具アドレスを含む照明制御信号が信号送受信部２１１で受信されると、その照明制御信号に含まれる制御内容（制御動作パターン）に従って制御部２１０Ａが点灯装置２１２Ａを制御することにより、ランプ負荷ＬＤが調光される（Ｓ３０）。このとき、優先度第２位に区分された照明器具２１Ａの負荷消費電力値も１０％低減する。
【０１２２】
各照明サブシステム２Ａの照明制御コントローラ２０Ａにおいて、演算処理部２００Ａによって、最新の各負荷消費電力値からサブシステム消費電力値が算出され、電力削減レベル２用のサブシステム目標値以下であるか否かの判断が行われる（Ｓ３１）。
【０１２３】
そして、サブシステム消費電力値がサブシステム目標値以下であれば、演算処理部２００Ａによって目標達成と判断され、マネジメントシステムの現在の動作状態が維持される。またこのとき、上記サブシステム消費電力値が総合監視装置１に送信される。なお、この後、総合監視装置１から電力削減解除信号が送信されると、その電力削減解除信号に従って通常動作用として予め設定された消費電力で各照明器具２１Ａが動作する。
【０１２４】
一方、サブシステム消費電力値がサブシステム目標値を超えて、演算処理部２００Ａによって目標未達成と判断されるか（Ｓ３２）、または電力削減レベル３に切り替えられるか（Ｓ３３）すれば、ステップＳ３４に進んで電力削減レベル３に対応する電力削減制御モードに移行する。そして、電力削減レベル３用のサブシステム目標値が設定され、優先度に関係なく、照明サブシステム２Ａ内の各照明器具２１Ａに対し、負荷消費電力値を一律３０％下げる個別目標値が求められ、この個別目標値で動作させるための制御動作パターンが作成される。なお、ステップＳ２１の前に生成された電力削減指示信号が電力削減レベル３であれば、電力削減レベル３用のサブシステム目標値を設定し、続いて、照明サブシステム２Ａ内の各照明器具２１Ａに対し、負荷消費電力値を一律３０％下げる個別目標値を求め、この個別目標値で動作させるための制御動作パターンを作成するようにしてもよい。
【０１２５】
続いて、照明サブシステム２Ａ内の照明器具２１Ａの照明器具アドレスを含み制御動作パターンに合う照明制御信号が照明制御信号生成部２０３Ａによって生成され、信号送受信部２０２から各照明器具２１Ａに送信される。
【０１２６】
各照明サブシステム２Ａの各照明器具２１Ａにおいて、照明制御コントローラ２０Ａからの、自己の照明器具アドレスを含む照明制御信号が信号送受信部２１１で受信されると、その照明制御信号に含まれる制御内容（制御動作パターン）に従って制御部２１０Ａが点灯装置２１２Ａを制御することにより、ランプ負荷ＬＤが調光される（Ｓ３５）。このとき、各照明器具２１Ａの負荷消費電力値が３０％低減する。
【０１２７】
以上、第３実施形態によれば、累積点灯時間および照明器具アドレスを動作状態情報として収集してこれを基に各照明器具２１Ａを優先度別に区分し、これら優先度別に区分した各照明器具２１Ａのうち、少なくとも累積点灯時間が最も短くなる優先度に区分した照明器具２１Ａに対し、現在の負荷消費電力値よりも小さい個別目標値を求めてこの個別目標値で動作させるように制御を行うので、図９からも分かるように、同一消費電力の場合、光出力が大きい累積点灯時間の短い照明器具２１Ａから優先的に電力制御を行うことになり、全体の照度低下を抑えつつ効率的な電力削減制御が可能となる。また、優先度第１位，第２位に区分した照明器具２１Ａ別に電力制御を行うことにより、各照明器具２１Ａに対して電力制御を行う場合よりも、全体の照度低下を抑えることができ、視環境変化の影響も改善される。
【０１２８】
（第４実施形態）
図１１は本発明による第４実施形態のマネジメントシステムの構成図、図１２は図１１中の照明制御コントローラで利用されるデータテーブル例を示す図、図１３は同照明制御コントローラによる消費電力低減の原理説明図、図１４は第４実施形態のマネジメントシステムの動作説明図である。
【０１２９】
第４実施形態のマネジメントシステムは、図１１に示すように、総合監視装置１Ａと、複数の照明サブシステム２Ｂとをビル設備ネットワークの配線Ｌ１に接続して構成されている。
【０１３０】
総合監視装置１Ａは、ビルネットワークインターフェイス１１と、消費電力監視部１２とを第１実施形態の総合監視装置１と同様に備えているほか、総合監視装置１との相違点として、ビル管理データベース１３と、制御部１０Ａとを備えている。
【０１３１】
ビル管理データベース１３は、各照明サブシステム２Ｂが設置されているフロアの室内配置マップを含むフロア情報を記憶するものである。また、フロア情報には、各照明器具２１の照明器具アドレス毎に、室内配置のブロック番号と配置場所の種類（図１２では「配置内容」）とが対応付けられたデータが含まれている。なお、照明サブシステム２Ｂの照明制御コントローラ２０Ｂのアドレス毎にフロア情報を記憶する構成でもよい。
【０１３２】
制御部１０Ａは、第１実施形態の制御部１０との相違点として、ビルネットワークインターフェイス１１を介して、照明サブシステム２Ｂからフロア情報要求を受けると、そのフロア情報要求に対応するフロア情報をビル管理データベース１３から読み出して返信する処理をさらに実行する。
【０１３３】
照明サブシステム２Ｂは、複数の、負荷機器としての照明器具２１と、これらの照明器具２１と照明信号線Ｌ２を介して接続され、各照明器具２１の制御を行う照明制御コントローラ２０Ｂとを備えている。
【０１３４】
この照明制御コントローラ２０Ｂは、ビルネットワークインターフェイス２０１と、信号送受信部２０２と、電力目標値管理部２０４とを第１実施形態の照明制御コントローラ２０と同様に備えているほか、照明制御コントローラ２０との相違点として、演算処理部２００Ｂと、記憶部２０６と、制御判断部２０５Ｂと、照明制御信号生成部２０３Ａとを備えている。
【０１３５】
演算処理部２００Ｂは、第１実施形態の演算処理部２００との相違点として、電力目標値管理部２０４によってサブシステム目標値が設定されると、ビルネットワークインターフェイス２０１を介して総合監視装置１Ａにフロア情報要求を出し、この後、ビルネットワークインターフェイス２０１を介してフロア情報を取得すると、フロア情報と制御判断部２０５Ｂによって読み出された照明器具アドレスとから、照明器具アドレスに「室内配置」のデータおよび「配置内容」のデータを対応付けたデータテーブルを作成して制御判断部２０５Ｂに渡す処理をさらに実行する。なお、フロア情報要求には、制御判断部２０５Ｂによって読み出された照明器具アドレスが含められるようにしてもよく、あるいは照明制御コントローラ２０Ｂのアドレスが含められるようにしてもよい。
【０１３６】
記憶部２０６は、例えば、照明制御コントローラ２０Ｂ内の各照明器具２１の照明器具アドレスを記憶するものである。
【０１３７】
制御判断部２０５Ｂは、第１実施形態の制御判断部２０５との相違点として、電力目標値管理部２０４によってサブシステム目標値が設定されると、記憶部２０６から照明器具アドレスを読み出し、この後、演算処理部２００Ｂから上記データテーブルが得られると、これを利用して制御動作パターンを作成するものである。
【０１３８】
つまり、データテーブルを利用して、照明サブシステム２Ｂ内の各照明器具２１を優先度別に区分し、これら優先度別に区分した各照明器具２１のうち、少なくとも一つの優先度に区分した照明器具２１に対し、現在の負荷消費電力値よりも小さい個別目標値を求め、この個別目標値で動作させるための制御動作パターンを作成する処理がなされる。
【０１３９】
より具体的には、上記データテーブルを使用し、図１２に示すように、「配置内容」でデータを分類し、「廊下」や「休憩室」などの共用場所に該当する組みを優先度第１位とし、仕事場（図では「執務室」）に該当する組みを優先度第２位として、照明サブシステム２Ｂ内の各照明器具２１を優先度別に区分する処理が実行される。
【０１４０】
そして、第１の電力削減指示信号（図１４（ａ）では電力削減レベル１）の場合には、優先度別に区分した各照明器具２１のうち、優先度第１位に区分した各照明器具２１に対し、現在の負荷消費電力値よりも例えば５０％小さい個別目標値が求められ、この個別目標値で動作させるための制御動作パターンが作成される。
【０１４１】
第２の電力削減指示信号（電力削減レベル２）または目標未達成の場合には、優先度別に区分した各照明器具２１のうち、優先度第２位に区分した各照明器具２１に対しても、現在の負荷消費電力値よりも例えば１０％小さい個別目標値が求められ、この個別目標値で動作させるための制御動作パターンが作成される。
【０１４２】
第３の電力削減指示信号（電力削減レベル３）または目標未達成の場合には、優先度に関係なく、照明サブシステム２Ｂ内の各照明器具２１に対し、負荷消費電力値を現在の負荷消費電力値から一律例えば１０％下げる個別目標値が求められ、この個別目標値で動作させるための制御動作パターンが作成される。
【０１４３】
照明制御信号生成部２０３Ａは、第２実施形態と同様に、照明器具アドレスを含み制御動作パターンに合う照明制御信号を生成するものである。
【０１４４】
次に第４実施形態のマネジメントシステムの動作について説明する。第２実施形態と同様の手順を経て、総合監視装置１Ａにおいて、電力削減要求を出すとの判断が行われると、電力削減指示信号が生成されてビルネットワークインターフェイス１１を介して各サブシステムに送信される。ここでは、例えば電力削減レベル１の電力削減指示信号が生成されて、総合監視装置１Ａから各照明サブシステム２Ｂに送信されたとする。
【０１４５】
各照明サブシステム２Ｂの照明制御コントローラ２０Ｂにおいて、総合監視装置１Ａからの電力削減レベル１の電力削減指示信号がビルネットワークインターフェイス２０１で受信されると（図１４（ａ）のＳ４１）、電力削減レベル１に対応する電力削減制御モードに移行する。そして、電力削減レベル１用のサブシステム目標値が電力目標値管理部２０４によって設定される。この後、制御判断部２０５Ｂによって、記憶部２０６から照明器具アドレスが読み出されるとともに、演算処理部２００Ｂによって、ビルネットワークインターフェイス２０１を介して総合監視装置１Ａにフロア情報要求が出される。
【０１４６】
総合監視装置１Ａにおいて、ビルネットワークインターフェイス１１を介して照明サブシステム２Ｂからフロア情報要求が受信されると、このフロア情報要求に対応するフロア情報がビル管理データベース１３から読み出されてビルネットワークインターフェイス１１を介して返信される。
【０１４７】
各照明サブシステム２Ｂの照明制御コントローラ２０Ｂにおいて、ビルネットワークインターフェイス２０１を介して総合監視装置１Ａからフロア情報が取得されると、演算処理部２００Ｂによって、フロア情報と制御判断部２０５Ｂによって読み出された照明器具アドレスとから、照明器具アドレスに「室内配置」のデータおよび「配置内容」のデータを対応付けたデータテーブルが作成される。この後、制御判断部２０５Ｂによって、上記データテーブルを基に照明サブシステム２Ｂ内の各照明器具２１が優先度別に区分され、優先度第１位に区分した照明器具２１に対し、現在の負荷消費電力値よりも５０％小さい個別目標値が求められ、この個別目標値で動作させるための制御動作パターンが作成される。この後、優先度第１位に区分した照明器具２１の照明器具アドレスを含み制御動作パターンに合う照明制御信号が照明制御信号生成部２０３Ａによって生成され、信号送受信部２０２から各照明器具２１に送信される（Ｓ４２）。
【０１４８】
各照明サブシステム２Ｂの各照明器具２１において、照明制御コントローラ２０Ｂからの、自己の照明器具アドレスを含む照明制御信号が信号送受信部２１１で受信されると、その照明制御信号に含まれる制御内容（制御動作パターン）に従って制御部２１０が点灯装置２１２を制御することにより、ランプ負荷ＬＤが調光される（Ｓ４３）。このとき、優先度第１位に区分された照明器具２１の負荷消費電力値が５０％低減する（図１４（ｂ）参照）。
【０１４９】
各照明サブシステム２Ｂの照明制御コントローラ２０Ｂにおいて、演算処理部２００Ｂによって、最新の各負荷消費電力値からサブシステム消費電力値が算出され、サブシステム目標値以下であるか否かの判断が行われる（Ｓ４４）。ここで、最新の各負荷消費電力値は、電力削減制御モードの移行の際に定格ランプ消費電力値が送られることにより、または点灯レベル回答要求を出すことによって取得されるようにしてもよく、あるいは照明器具２１の消費電力値の情報を送信する処理が定期的または自動的に実行されることによって取得されるようにしてもよい。
【０１５０】
そして、サブシステム消費電力値がサブシステム目標値以下であれば、演算処理部２００Ｂによって目標達成と判断され、マネジメントシステムの現在の動作状態が維持される。またこのとき、上記サブシステム消費電力値が総合監視装置１Ａに送信される。なお、この後、総合監視装置１Ａから電力削減解除信号が送信されると、その電力削減解除信号に従って通常動作用として予め設定された消費電力で各照明器具２１が動作する。
【０１５１】
一方、サブシステム消費電力値がサブシステム目標値を超えて、演算処理部２００Ｂによって目標未達成と判断されるか（Ｓ４５）、または電力削減レベル２に切り替えられるか（Ｓ４６）すれば、ステップＳ４７に進んで電力削減レベル２に対応する電力削減制御モードに移行する。そして、電力削減レベル２用のサブシステム目標値が設定され、優先度第２位に区分した照明器具２１に対し、現在の負荷消費電力値よりも１０％小さい個別目標値が求められ、この個別目標値で動作させるための制御動作パターンが作成される。なお、ステップＳ４１の前に生成された電力削減指示信号が電力削減レベル２であれば、電力削減レベル２用のサブシステム目標値を設定し、続いて、データテーブルを作成し、このデータテーブルを基に照明サブシステム２Ｂ内の各照明器具２１を優先度別に区分し、優先度第１位，第２位に区分した照明器具２１に対し、それぞれ現在の負荷消費電力値よりも５０％，１０％小さい個別目標値を求め、この個別目標値で動作させるための制御動作パターンを作成するようにしてもよい。
【０１５２】
続いて、優先度第２位に区分された照明器具２１の照明器具アドレスを含み制御動作パターンに合う照明制御信号が照明制御信号生成部２０３Ａによって生成され、信号送受信部２０２から各照明器具２１に送信される。
【０１５３】
各照明サブシステム２Ｂの各照明器具２１において、照明制御コントローラ２０Ｂからの、自己の照明器具アドレスを含む照明制御信号が信号送受信部２１１で受信されると、その照明制御信号に含まれる制御内容（制御動作パターン）に従って制御部２１０が点灯装置２１２を制御することにより、ランプ負荷ＬＤが調光される（Ｓ４８）。このとき、優先度第２位に区分された照明器具２１の負荷消費電力値が１０％低減する（図４（ｃ）参照）。
【０１５４】
各照明サブシステム２Ｂの照明制御コントローラ２０Ｂにおいて、演算処理部２００Ｂによって、最新の各負荷消費電力値からサブシステム消費電力値が算出され、電力削減レベル２用のサブシステム目標値以下であるか否かの判断が行われる（Ｓ４９）。
【０１５５】
そして、サブシステム消費電力値がサブシステム目標値以下であれば、演算処理部２００Ｂによって目標達成と判断され、マネジメントシステムの現在の動作状態が維持される。またこのとき、上記サブシステム消費電力値が総合監視装置１Ａに送信される。なお、この後、総合監視装置１Ａから電力削減解除信号が送信されると、その電力削減解除信号に従って通常動作用として予め設定された消費電力で各照明器具２１が動作する。
【０１５６】
一方、サブシステム消費電力値がサブシステム目標値を超えて、演算処理部２００Ｂによって目標未達成と判断されるか（Ｓ５０）、または電力削減レベル３に切り替えられるか（Ｓ５１）すれば、ステップＳ５２に進んで電力削減レベル３に対応する電力削減制御モードに移行する。そして、電力削減レベル３用のサブシステム目標値が設定され、優先度に関係なく、照明サブシステム２Ｂ内の各照明器具２１に対し、負荷消費電力値をさらに一律１０％下げる個別目標値が求められ、この個別目標値で動作させるための制御動作パターンが作成される。なお、ステップＳ４１の前に生成された電力削減指示信号が電力削減レベル３であれば、電力削減レベル３用のサブシステム目標値を設定し、続いて、優先度に関係なく、照明サブシステム２Ｂ内の各照明器具２１に対し、負荷消費電力値をさらに一律１０％下げる個別目標値を求め、この個別目標値で動作させるための制御動作パターンを作成するようにしてもよい。
【０１５７】
続いて、照明サブシステム２Ｂ内の照明器具２１の照明器具アドレスを含み制御動作パターンに合う照明制御信号が照明制御信号生成部２０３Ａによって生成され、信号送受信部２０２から各照明器具２１に送信される。
【０１５８】
各照明サブシステム２Ｂの各照明器具２１において、照明制御コントローラ２０Ｂからの、自己の照明器具アドレスを含む照明制御信号が信号送受信部２１１で受信されると、その照明制御信号に含まれる制御内容（制御動作パターン）に従って制御部２１０が点灯装置２１２を制御することにより、ランプ負荷ＬＤが調光される（Ｓ５３）。このとき、各照明器具２１の負荷消費電力値がさらに１０％低減する（図１４（ｄ）参照）。
【０１５９】
以上、第４実施形態によれば、照明サブシステム２Ｂ内の各照明器具２１を優先度別に区分するとき、それら各照明器具２１の設置場所情報を基に各照明器具２１を優先度別に区分するので、仕事に影響しない共用場所に設置された照明器具２１から優先的に電力制御を行うことで、視環境変化を抑えて良好な作業環境を保つことができる。また、共用場所と仕事場（執務室）で電力削減量に差をつけることにより、差をつけない場合に比べて、視環境変化を抑えつつ効率的な電力削減制御が可能となる。
【０１６０】
（第５実施形態）
図１５は本発明による第５実施形態のマネジメントシステムの構成図、図１６は同マネジメントシステムにおける天井取付型の照明器具の構成図、図１７は同マネジメントシステムにおける卓上型の照明器具の構成図、図１８は同マネジメントシステムにおける照明サブシステムの設置例を示す図、図１９は同マネジメントシステムの動作説明図である。
【０１６１】
第５実施形態のマネジメントシステムは、図１５に示すように、第４実施形態と同様の総合監視装置１Ａと、複数の照明サブシステム２Ｃとをビル設備ネットワークの配線Ｌ１に接続して構成されている。
【０１６２】
照明サブシステム２Ｃは、図１５〜図１８に示すように、複数の、負荷機器としての照明器具２１Ｂと、複数の、負荷機器としての照明器具２２と、各照明器具２１Ｂと照明信号線Ｌ２を介して接続されるとともに各照明器具２２と無線にて結ばれ、各照明器具２１Ｂ，２２の制御を行う照明制御コントローラ２０Ｃとを備えている。
【０１６３】
照明器具２１Ｂは、フロア全体の基本照明として一定量の机上面照度を確保するための天井取付型（図１９では「ベースライト」）であり、信号送受信部２１１を第４実施形態の照明器具２１と同様に備えているほか、照明器具２１との相違点として、点灯装置２１２Ｂと、制御部２１０Ｂとを備え、照明器具アドレスが付与されている。なお、点灯レベル検出回路２１３をさらに備える構成でもよい。
【０１６４】
点灯装置２１２Ｂは、光源としてのランプ負荷ＬＤ１と接続され、制御部２１０Ｂによる制御に従ってランプ負荷ＬＤ１を点灯、消灯または調光するものである。
【０１６５】
制御部２１０Ｂは、照明器具２１Ｂ全般の制御などの処理を行うものである。より具体的には、照明制御コントローラ２０Ｃからの照明制御信号が信号送受信部２１１で受信されると、その照明制御信号に含まれる制御内容（制御動作パターン）に従って点灯装置２１２Ｂを制御することにより、ランプ負荷ＬＤ１を点灯、消灯または調光する制御が実行される。また、点灯装置２１２Ｂの制御状態（フィードバック制御の場合には、点灯レベル検出回路２１３で検出された現在の点灯レベル）と、予め保持しているランプ負荷ＬＤ１の定格ランプ消費電力値とに基づいて、照明器具２１Ｂの負荷消費電力値の情報を、自己の照明器具アドレスとともに信号送受信部２１１を介して照明制御コントローラ２０Ｃに送信する処理が実行される。
【０１６６】
照明器具２２は、卓上型（図１９では「タスクライト」）であり、照明制御コントローラ２０Ｃとの無線信号送受信用の無線信号送受信部２２１を備えているとともに、点灯装置２２２と、制御部２２０とを備え、照明器具アドレスが付与されている。なお、照明器具アドレスに代えて、例えば無線周波数などで識別される構成でもよい。また、第４実施形態の照明器具２１と同様の点灯レベル検出回路をさらに備える構成でもよい。
【０１６７】
点灯装置２２２は、少なくとも、通常点灯レベルと、これよりも例えば１０％負荷消費電力値が大きいフル点灯レベルとのいずれかに切り替えることができる機能を有し、光源としてのランプ負荷ＬＤ２と接続され、制御部２２０による制御に従ってランプ負荷ＬＤ２を通常点灯、フル点灯または消灯するものである。
【０１６８】
制御部２２０は、照明器具２２全般の制御などの処理を行うものである。より具体的には、照明制御コントローラ２０Ｃからの照明制御信号が無線信号送受信部２２１で受信されると、その照明制御信号に含まれる制御内容（制御動作パターン）に従って点灯装置２２２を制御することにより、ランプ負荷ＬＤ２を通常点灯、フル点灯または消灯する制御が実行される。また、点灯装置２２２の制御状態（フィードバック制御の場合には、点灯レベル検出回路で検出された現在の点灯レベル）と、予め保持しているランプ負荷ＬＤ２の定格ランプ消費電力値とに基づいて、照明器具２２の負荷消費電力値の情報を、自己の照明器具アドレスとともに無線信号送受信部２２１を介して照明制御コントローラ２０Ｃに送信する処理が実行される。
【０１６９】
ここで、制御部２１０Ｂおよび制御部２２０による負荷消費電力値および照明器具アドレスの送信処理は、点灯レベル回答要求に応じて実行される。なお、点灯レベル回答要求は、総合監視装置１Ａが各照明サブシステム２Ｃにサブシステム消費電力値の回答要求を出したときにも、その回答要求に応じて照明制御コントローラ２０Ｃから出されるように構成してもよい。あるいは、上記処理はさらに定期的に実行されるようにしてもよい。
【０１７０】
照明制御コントローラ２０Ｃは、ビルネットワークインターフェイス２０１と、信号送受信部２０２と、電力目標値管理部２０４とを第４実施形態の照明制御コントローラ２０Ｂと同様に備えているほか、照明制御コントローラ２０Ｂとの相違点として、演算処理部２００Ｃと、各照明器具２２との無線信号送受信用の無線信号送受信部２０７と、記憶部２０６Ａと、制御判断部２０５Ｃと、照明制御信号生成部２０３Ｂとを備えている。
【０１７１】
演算処理部２００Ｃは、第４実施形態の演算処理部２００Ｂとの相違点として、制御判断部２０５Ｃから点灯レベル回答要求が出されると、これを信号送受信部２０２，無線信号送受信部２０７を介して各照明器具２１Ｂ，２２に送信し、この後、信号送受信部２０２，無線信号送受信部２０７を介して各照明器具２１Ｂ，２２から負荷消費電力値および照明器具アドレスを取得すると、これらの情報と、制御判断部２０５Ｃによって記憶部２０６Ａから読み出された照明器具アドレスおよび照明器具の種類の情報とから、照明器具アドレスに照明器具の種類および負荷消費電力値を対応付けたデータテーブルを作成して制御判断部２０５Ｃに渡す処理を実行する。
【０１７２】
記憶部２０６Ａは、各照明器具２１Ｂ，２２の照明器具アドレスおよび照明器具の種類の情報が記憶されている。
【０１７３】
制御判断部２０５Ｃは、第４実施形態の制御判断部２０５Ｂとの相違点として、電力目標値管理部２０４によってサブシステム目標値が設定されると、記憶部２０６Ａから各照明器具２１Ｂ，２２の照明器具アドレスおよび照明器具の種類の情報を読み出すとともに、点灯レベル回答要求を出し、この後、演算処理部２００Ｃからデータテーブルが得られると、これを利用して、各照明器具２１Ｂ，２２に対する制御動作パターンを作成するものである。
【０１７４】
より具体的には、第１の電力削減指示信号（図１９では電力削減レベル１）の場合には、上記データテーブルを使用し、現在の負荷消費電力値が９０％以上である照明器具２１Ｂに対し、例えば３０％小さい個別目標値が求められ、この個別目標値で動作させるための制御動作パターンが作成される。一方、照明器具２２に対しては、フル点灯レベルで動作させるための制御動作パターンが作成される。
【０１７５】
第２の電力削減指示信号（電力削減レベル２）または目標未達成の場合には、照明サブシステム２Ｃの各照明器具２１Ｂに対し、一律所定率（例えば、現在の負荷消費電力値からさらに１０％）小さい個別目標値が求められ、この個別目標値で動作させるための制御動作パターンが作成される。一方、照明器具２２に対しては、フル点灯レベルで動作させるための制御動作パターンが作成される。
【０１７６】
第３の電力削減指示信号（電力削減レベル３）または目標未達成の場合には、照明サブシステム２Ｃの各照明器具２１Ｂに対し、一律所定率（例えば、現在の負荷消費電力値からさらに１０％）小さい個別目標値が求められ、この個別目標値で動作させるための制御動作パターンが作成される。一方、照明器具２２に対しては、通常点灯レベルで動作させるための制御動作パターンが作成される。
【０１７７】
照明制御信号生成部２０３Ｂは、照明器具２１Ｂ，２２の照明器具アドレスを含み制御動作パターンに合う照明制御信号を生成するものである。
【０１７８】
次に第５実施形態のマネジメントシステムの動作について説明する。第２実施形態と同様の手順を経て、総合監視装置１Ａにおいて、電力削減要求を出すとの判断が行われると、電力削減指示信号が生成されてビルネットワークインターフェイス１１を介して各サブシステムに送信される。ここでは、例えば電力削減レベル１の電力削減指示信号が生成されて、総合監視装置１Ａから各照明サブシステム２Ｃに送信されたとする。
【０１７９】
各照明サブシステム２Ｃの照明制御コントローラ２０Ｃにおいて、図１９に示すように、総合監視装置１Ａからの電力削減レベル１の電力削減指示信号がビルネットワークインターフェイス２０１で受信されると（Ｓ６１）、電力削減レベル１に対応する電力削減制御モードに移行する。そして、電力削減レベル１用のサブシステム目標値が電力目標値管理部２０４によって設定され、続いて、制御判断部２０５Ｃによって、記憶部２０６Ａから各照明器具２１Ｂ，２２の照明器具アドレスおよび照明器具の種類の情報が読み出されるとともに、点灯レベル回答要求が出され、信号送受信部２０２，無線信号送受信部２０７を介して各照明器具２１Ｂ，２２に送信される。
【０１８０】
各照明サブシステム２Ｃの各照明器具２１Ｂ，２２において、信号送受信部２１１，無線信号送受信部２２１を介して照明制御コントローラ２０Ｃからの点灯レベル回答要求が受信されると、負荷消費電力値および照明器具アドレスが信号送受信部２１１，無線信号送受信部２２１を介して照明制御コントローラ２０Ｃに送信される。
【０１８１】
各照明サブシステム２Ｃの照明制御コントローラ２０Ｃにおいて、信号送受信部２１１，無線信号送受信部２２１を介して各照明器具２１Ｂ，２２から負荷消費電力値および照明器具アドレスが取得されると、演算処理部２００Ｃによって照明器具アドレスに照明器具の種類および負荷消費電力値を対応付けたデータテーブルが作成される。この後、制御判断部２０５Ｃによって、データテーブルを基に、現在の負荷消費電力値が９０％以上である照明器具２１Ｂに対し、３０％小さい個別目標値が求められ、この個別目標値で動作させるための制御動作パターンが作成される一方、照明器具２２に対しては、フル点灯レベルで動作させるための制御動作パターンが作成される。この後、照明制御信号生成部２０３Ｂによって、現在の負荷消費電力値が９０％以上である照明器具２１Ｂの照明器具アドレスを含み３０％減光の制御動作パターンに合う照明制御信号が生成され、信号送受信部２０２から各照明器具２１Ｂに送信される。また、照明制御信号生成部２０３Ｂによって、照明器具２２の照明器具アドレスを含みフル点灯の制御動作パターンに合う照明制御信号が生成され、無線信号送受信部２０７から各照明器具２２に送信される。
【０１８２】
各照明サブシステム２Ｃの各照明器具２１Ｂ，２２において、照明制御コントローラ２０Ｃからの、自己の照明器具アドレスを含む照明制御信号が信号送受信部２１１，無線信号送受信部２２１で受信されると、その照明制御信号に含まれる制御内容（制御動作パターン）に従って制御部２１０Ｂ，２２０が点灯装置２１２Ｂ，２２２を制御することにより、ランプ負荷ＬＤ１，ＬＤ２が調光される（Ｓ６２）。このとき、現在の負荷消費電力値が９０％以上である照明器具２１Ｂの負荷消費電力値が３０％低減し、各照明器具２２がフル点灯となる。
【０１８３】
各照明サブシステム２Ｃの照明制御コントローラ２０Ｃにおいて、演算処理部２００Ｃによって、最新の各負荷消費電力値からサブシステム消費電力値が算出され、サブシステム目標値以下であるか否かの判断が行われる（Ｓ６３）。
【０１８４】
そして、サブシステム消費電力値がサブシステム目標値以下であれば、演算処理部２００Ｃによって目標達成と判断され、マネジメントシステムの現在の動作状態が維持される。またこのとき、上記サブシステム消費電力値が総合監視装置１Ａに送信される。なお、この後、総合監視装置１Ａから電力削減解除信号が送信されると、その電力削減解除信号に従って通常動作用として予め設定された消費電力で各照明器具２１Ｂ，２２が動作する。
【０１８５】
一方、サブシステム消費電力値がサブシステム目標値を超えて、演算処理部２００Ｃによって目標未達成と判断されるか（Ｓ６４）、または電力削減レベル２に切り替えられるか（Ｓ６５）すれば、ステップＳ６６に進んで電力削減レベル２に対応する電力削減制御モードに移行する。そして、電力削減レベル２用のサブシステム目標値が設定され、照明サブシステム２Ｃの各照明器具２１Ｂに対し、さらに１０％小さい個別目標値が求められ、この個別目標値で動作させるための制御動作パターンが作成される一方、照明器具２２に対しては、フル点灯レベルで動作させるための制御動作パターンが作成される。なお、ステップＳ６１の前に生成された電力削減指示信号が電力削減レベル２であれば、電力削減レベル２用のサブシステム目標値を設定し、続いて、データテーブルを作成し、このデータテーブルを基に制御動作パターンを作成し、そして、現在の負荷消費電力値が９０％以上である照明器具２１Ｂに対しては４０％小さい個別目標値を求め、それ以外の照明器具２１Ｂに対しては１０％小さい個別目標値を求め、これらの個別目標値で動作させるための制御動作パターンを作成する一方、照明器具２２に対しては、フル点灯レベルで動作させるための制御動作パターンを作成するようにしてもよい。
【０１８６】
続いて、照明サブシステム２Ｃの各照明器具２１Ｂ，２２の照明器具アドレスを含み制御動作パターンに合う照明制御信号が照明制御信号生成部２０３Ｂによって生成され、信号送受信部２０２，無線信号送受信部２０７から各照明器具２１Ｂ，２２に送信される。
【０１８７】
各照明サブシステム２Ｃの各照明器具２１Ｂ，２２において、照明制御コントローラ２０Ｃからの、自己の照明器具アドレスを含む照明制御信号が信号送受信部２１１，無線信号送受信部２２１で受信されると、その照明制御信号に含まれる制御内容（制御動作パターン）に従って制御部２１０Ｂ，２２０が点灯装置２１２Ｂ，２２２を制御することにより、ランプ負荷ＬＤ１，ＬＤ２が調光される（Ｓ６６）。このとき、負荷消費電力値が９０％以上であった照明器具２１Ｂの負荷消費電力値が４０％低減し、それ以外の照明器具２１Ｂの負荷消費電力値が１０％低減し、各照明器具２２がフル点灯となる。なお、各照明器具２１Ｂの負荷消費電力値が同じ一定の調光率となるような動作でも構わない。
【０１８８】
各照明サブシステム２Ｃの照明制御コントローラ２０Ｃにおいて、演算処理部２００Ｃによって、最新の各負荷消費電力値からサブシステム消費電力値が算出され、電力削減レベル２用のサブシステム目標値以下であるか否かの判断が行われる（Ｓ６７）。
【０１８９】
そして、サブシステム消費電力値がサブシステム目標値以下であれば、演算処理部２００Ｃによって目標達成と判断され、マネジメントシステムの現在の動作状態が維持される。またこのとき、上記サブシステム消費電力値が総合監視装置１Ａに送信される。なお、この後、総合監視装置１Ａから電力削減解除信号が送信されると、その電力削減解除信号に従って通常動作用として予め設定された消費電力で各照明器具２１Ｂ，２２が動作する。
【０１９０】
一方、サブシステム消費電力値がサブシステム目標値を超えて、演算処理部２００Ｃによって目標未達成と判断されるか（Ｓ６８）、または電力削減レベル３に切り替えられるか（Ｓ６９）すれば、ステップＳ７０に進んで電力削減レベル３に対応する電力削減制御モードに移行する。そして、電力削減レベル３用のサブシステム目標値が設定され、照明サブシステム２Ｃの各照明器具２１Ｂに対し、さらに１０％小さい個別目標値が求められ、この個別目標値で動作させるための制御動作パターンが作成される一方、照明器具２２に対しては、通常点灯レベルで動作させるための制御動作パターンが作成される。なお、ステップＳ６１の前に生成された電力削減指示信号が電力削減レベル３であれば、電力削減レベル３用のサブシステム目標値を設定し、続いて、データテーブルを作成し、このデータテーブルを基に制御動作パターンを作成し、そして、現在の負荷消費電力値が９０％以上である照明器具２１Ｂに対しては５０％小さい個別目標値を求め、それ以外の照明器具２１Ｂに対しては２０％小さい個別目標値を求め、これらの個別目標値で動作させるための制御動作パターンを作成する一方、照明器具２２に対しては、通常点灯レベルで動作させるための制御動作パターンを作成するようにしてもよい。
【０１９１】
続いて、照明サブシステム２Ｃの各照明器具２１Ｂ，２２の照明器具アドレスを含み制御動作パターンに合う照明制御信号が照明制御信号生成部２０３Ｂによって生成され、信号送受信部２０２，無線信号送受信部２０７から各照明器具２１Ｂ，２２に送信される。
【０１９２】
各照明サブシステム２Ｃの各照明器具２１Ｂ，２２において、照明制御コントローラ２０Ｃからの、自己の照明器具アドレスを含む照明制御信号が信号送受信部２１１，無線信号送受信部２２１で受信されると、その照明制御信号に含まれる制御内容（制御動作パターン）に従って制御部２１０Ｂ，２２０が点灯装置２１２Ｂ，２２２を制御することにより、ランプ負荷ＬＤ１，ＬＤ２が調光される（Ｓ７０）。このとき、負荷消費電力値が９０％以上であった照明器具２１Ｂの負荷消費電力値が５０％低減し、それ以外の照明器具２１Ｂの負荷消費電力値が２０％低減し、各照明器具２２が通常点灯となる。なお、各照明器具２１Ｂの負荷消費電力値が同じ一定の調光率となるような動作でも構わない。
【０１９３】
以上、第５実施形態によれば、照明サブシステム２Ｃ内の各照明器具２１Ｂ，２２を優先度別に区分するとき、それら各照明器具の種類情報を基に各照明器具を優先度別に区分するので、視環境変化を抑えつつ効率的な電力削減制御が可能となる。また、照明器具２１Ｂの照度低下を照明器具２２の照度アップで補うことができるので、トータルでの照明消費電力を削減しつつ、机上の照明視環境の低下を抑えることができる。
【０１９４】
（第６実施形態）
図２０は本発明による第６実施形態のマネジメントシステムの構成図、図２１，図２２は同マネジメントシステムで使用されるデータテーブルの一例を示す図、図２３は同マネジメントシステムの動作説明図である。
【０１９５】
第６実施形態のマネジメントシステムは、図２０に示すように、総合監視装置１Ｂと、照明サブシステム２Ｄと、空調サブシステム３と、防犯サブシステム４と、防災サブシステム５と、ゲートウェイ６と、ＯＡネットワークシステム７とにより構成されている。
【０１９６】
第６実施形態では、各サブシステムの消費電力管理および運転記録管理は、総合監視装置１Ｂによって行われる。総合監視装置１Ｂおよび照明サブシステム２Ｄは、例えば図１１または図１５と同様な構成部からなる。防犯サブシステム４は、構成機器に入力された個人情報（年齢、性別、在籍部署など）と連動してビル内の防犯監視を行う。
【０１９７】
ＯＡネットワークシステム７は、業務用のパソコンなどのオフィスオートメーション機器を相互に接続して構成され、ゲートウェイ６を介してビル設備ネットワークの配線Ｌ１に接続され、総合監視装置１Ｂ、照明サブシステム２Ｄ、空調サブシステム３、防犯サブシステム４および防災サブシステム５と相互通信が可能となっている。ＯＡネットワークシステム７内のパソコンでは、業務に付属のソフトウェアが利用され、在席者および部署のスケジュール管理、情報共有のためのグループウェアが稼動しており、スケジュール情報がＯＡネットワークシステム７上に送信され各パソコン間で共有されている。また、スケジュール情報はゲートウェイ６を介して、ビル設備ネットワークにも送信され、各サブシステムも上記情報を取得可能となっている。
【０１９８】
次に第６実施形態のマネジメントシステムの概略動作について説明する。照明サブシステム２Ｄは、配線Ｌ１を介して、ＯＡネットワークシステム７内で通信されているグループウェアのスケジュール情報（図２１参照）を取得する（図２３のＳ７１）。
【０１９９】
照明サブシステム２Ｄ内の照明制御コントローラの演算処理部は、スケジュール情報の演算処理を行い、オフィスフロアの在席状況を抽出するとともに、総合監視装置１Ｂ内のビル管理データベースに対してそのフロアのフロア情報要求を送信し、照明制御コントローラが設置されているフロアの室内配置マップが含まれたフロア情報を取得する。続いて、照明制御コントローラの演算処理部は、記憶部に保存されている照明器具アドレスを取得し、照明器具アドレスと照明器具設置場所の室内配置マップ、その配置内容（部署情報など）、および部署のスケジュール情報に基づいて、図２２に示すようなデータテーブルを作成し、制御判断部に送信する。
【０２００】
制御判断部は、データテーブルを受信すると、スケジュール情報に沿ってデータを並び替えて、会議などで不在である部署に設置されている照明器具は消灯させる制御動作パターンを作成し、演算処理部に出力する。
【０２０１】
演算処理部は、制御動作パターンに合う照明制御信号生成指示を照明制御信号生成部に出力する。
【０２０２】
照明制御信号生成部は、不在部署に設置されている照明器具アドレスとその照明器具を消灯する内容とを含む照明制御信号を生成し、信号送受信部を介して、照明サブシステム２Ｄ内の各照明器具に送信する（Ｓ７３，Ｓ７７）。
【０２０３】
照明器具は、照明制御信号を受信し、制御部にて信号処理を行い、照明制御信号に含まれる照明器具アドレスと自己の照明器具アドレスとが一致した場合、その照明制御信号に含まれる内容に従って点灯装置を制御する。
【０２０４】
このように、照明器具の設置場所で働く個人情報を利用して電力削減制御が実行される。なお、データテーブルは、ＯＡネットワークシステム７より取得したスケジュール情報が更新されるたびにテーブルデータも更新されて、更新データに沿った照明制御が自動的に実行される。
【０２０５】
上記のような電力削減制御は、総合監視装置１Ｂでの照明サブシステム２Ｄの消費電力の監視に従って、段階的に実行され、その詳細は下記の通りである。
【０２０６】
総合監視装置１Ｂは、照明サブシステム２Ｄの消費電力を監視する。照明サブシステム２Ｄ内の照明器具は、照明制御コントローラから送信された照明制御信号を受信、および照明器具の情報信号を送信する信号送受信部と、照明制御信号の信号処理、照明器具の動作状態情報信号の生成、および点灯装置へのランプ電力制御指示などを行う制御部と、ランプ負荷のランプ電力制御を行う点灯装置と、ランプの点灯レベルを検出するランプ点灯レベル検出回路とを備え、照明信号線を介して照明制御コントローラと接続される。
【０２０７】
照明サブシステム２Ｄ内の各照明器具は、自己の消費電力を測定するために、先ず、照明器具内のランプ点灯レベル検出回路にて現在のランプ点灯レベルを検出し、その検出値を照明器具内の制御部に送信する。制御部は、当該照明器具の定格ランプ消費電力値と上記検出値（ランプ点灯レベル）に基づいて、負荷消費電力値を算出する。また、負荷消費電力値は、信号送受信部を介して、照明制御コントローラに送信される。
【０２０８】
照明制御コントローラは、自己に接続されている各照明器具から送信された負荷消費電力値を受信すると、演算処理部にて各負荷消費電力値を加算してサブシステム消費電力値を求め、ビルネットワークインターフェイスを介して総合監視装置１Ｂに送信する。
【０２０９】
総合監視装置１Ｂは、各照明サブシステム７から受信したサブシステム消費電力値を加算してシステム消費電力値を算出する。システム消費電力値は、総合監視装置内の消費電力監視部に送信されて、予め設定された消費電力規定値と比較される。
【０２１０】
システム消費電力値が消費電力規定値を超えた場合、総合監視装置１Ｂ内の消費電力監視部は、総合監視装置１Ｂ内の制御部に電力削減要求を出す。制御部は、電力削減要求を受信すると信号処理を行い、先ずは電力削減レベル１の電力削減指示信号を生成し、ビルネットワークインターフェイスを介して、照明サブシステムに送信する。
【０２１１】
また、上記消費電力監視部におけるサブシステムの消費電力値の監視状況により、上記よりも更なる電力削減が必要となった場合は、制御部にて電力削減レベル２の電力削減指示信号を生成し、サブシステムに送信する。
【０２１２】
以上のように、総合監視装置１Ｂ内の消費電力監視部の監視状況によって、段階的に電力削減指示信号が生成されてサブシステムに送信される。
【０２１３】
総合監視装置１Ｂから送信された電力削減指示信号（電力削減レベル１）を照明制御コントローラが受信すると、電力削減制御の第１ステッブ（電力削減レベル１）に移行する。そして、電力目標値管理部が照明器具の消費電力目標値（サブシステム目標値）を設定する。同時に、照明制御コントローラが、防犯システムに対してフロア在席者の個人情報要求を送信し、自己が設置されている場所に在席する人の個人情報を取得する。
【０２１４】
照明制御コントローラの演算処理部は、既に作成されているスケジュール情報に基づいたデータテーブルに、上記個人情報のうち、人名称とその年齢データを追加し、データテーブルの更新（図２１）後に制御判断部に送信する。
【０２１５】
制御判断部は、更新後のデータテーブルを受信すると、スケジュール、年齢の順位でデータテーブルの内容を並び替える。一般的に高齢者の作業においては５００［ｌｘ］以上の照明環境を必要とすることが知られており、制御判断部では５０歳以上の在席者があるフロア付近の照明器具には最下位の優先度を付与し、高齢者の在席付近については照度低下を抑えつつサブシステム目標値の削減を達成するための制御動作パターンを算出する。なお、既に不在となっている場所の照明器具については、通常状態においてスケジュール情報に基づいた照明制御が行われ、自動的に消灯している。
【０２１６】
電力削減の第１ステップにおいては、制御判断部は優先度第１位の照明器具を電力削減制御の対象として抽出し、その照明器具の点灯レベルを例えば３０％下げるランプ電力制御を行い、優先度最下位の照明器具についてはランプ電力制御を行わない制御動作パターンを算出し、演算処理部に出力する。演算処理部は、制御判断部からの制御動作パターンに基づいた照明制御信号生成指示を照明制御信号生成部に出力し、照明制御信号生成部で生成された照明制御信号は、その照明制御コントローラに接続された照明器具に送信される。照明器具は、照明制御信号を受信し、信号内容に一致する照明器具アドレスを保有する照明器具が、点灯レベルを３０％ダウンするランプ電力制御を行う。
【０２１７】
第１ステップでの電力削減制御の後、目標未達成または総合監視装置１Ｂから電力削減指示信号（電力削減レベル２）を受信した場合、電力削減の第２ステップに移行する。制御判断部は、優先度第１位から最下位から１段階上位にある照明器具に対して現在の点灯レベルよりもさらに一律例えば２０％点灯レベルを下げ、優先度最下位の照明器具については点灯レベルを５％下げる制御動作パターンを作成し、照明制御信号生成部で制御動作パターンに合う照明制御信号を生成して、照明器具のランプ電力制御を行う。
【０２１８】
電力削減の第３ステップ（電力削減レベル３）に移行した場合は、照明制御コントローラは、電力削減の緊急度が高いと判断して、先に付与した照明器具の優先度に関係せず、すべての照明器具に対して点灯レベルを一律の割合下げる照明制御を行う。
【０２１９】
第６実施形態によれば、個人の年齢情報に基づき、若年者の在席する照明器具から優先的に電力削減制御を行うことにより、高齢者の付近の照明器具は電力削減の緊急度が高くなるまで照度低下を抑えることができ、視環境を保ちつつ照明負荷の電力削減制御を行うことができる。
【０２２０】
また、ＯＡネットワークシステム７内で稼動しているグループウェアのスケジュール情報に沿った照明器具の電力削減制御が可能となり、人の不在箇所の照明器具も自動的に消灯制御を行うことで通常状態においても電力削減制御を行うことができる。
【０２２１】
（第７実施形態）
図２４は本発明による第７実施形態のマネジメントシステムで使用されるデータテーブルの一例を示す図である。
【０２２２】
第７実施形態のマネジメントシステムも、第６実施形態と同様に、総合監視装置と各サブシステムとによってビルマネジメントシステムが構成され、これにゲートウェイを介してＯＡネットワークシステムが接続されている。
【０２２３】
次に第７実施形態のマネジメントシステムの動作について説明する。総合監視装置から送信された電力削減指示信号（電力削減レベル１）を照明制御コントローラが受信すると、電力削減制御の第１ステップに移行する。そして、電力目標値管理部が照明器具の消費電力目標値（サブシステム目標値）を設定する。また、その照明制御コントローラは、ＯＡネットワークシステムより、個人の在席状況と、在席者についてはパソコン稼動状況情報を取得するとともに、総合監視装置内のビル管理データベースから対応するフロアのフロア情報を取得する。
【０２２４】
続いて、照明制御コントローラの演算処理部は、記憶部に保存されている照明器具アドレスを取得し、照明器具アドレスとその照明器具の設置場所の室内配置、その配置内容（部署情報など）、在席情報、パソコン稼動情報に基づいて、図２４に示すようなデータテーブルを作成し、制御判断部に送信する。
【０２２５】
一般的にパソコン使用中においては、作業者は照明環境の変化に対する感度が低下することが知られているので、このことを考慮して、制御判断部がパソコン使用中の在席者があるフロア付近の照明器具に優先度第１位を付与するようにする。
【０２２６】
電力削減の第１ステップにおいては、制御判断部は優先度第１位の照明器具を電力削減制御の対象として抽出し、その照明器具の点灯レベルを例えば３０％下げるランプ電力制御を行うための制御動作パターンを作成し、演算処理部に出力する。演算処理部は、制御動作パターンに合う照明制御信号生成指示を照明制御信号生成部に出力し、照明制御信号生成部で生成された照明制御信号は、照明制御コントローラに接続された照明器具に送信される。照明器具は、照明制御信号を受信し、信号内容に一致する照明器具アドレスを保有する照明器具が点灯レベルを３０％ダウンするランプ電力制御を行う。
【０２２７】
第１ステップでの電力削減制御の後、目標未達または総合監視装置から電力削減指示信号（電力削減レベル２）を受信した場合、電力削減の第２ステッブに移行する。制御判断部は、パソコン使用中のフロア付近にある優先度第１位の照明器具の点灯レベルを現在の点灯レベルよりもさらに例えば２０％下げ、優先度第１位よりも下位の優先度にある照明器具については点灯レベルを１０％下げる制御動作パターンを作成し、照明制御信号生成部で制御動作パターンに合う照明制御信号を生成して、照明器具のランプ電力制御を行う。
【０２２８】
電力削減の第３ステップ（電力削減レベル３）に移行した場合は、照明制御コントローラは、電力削減の緊急度が高いと判断して、先に付与した照明器具の優先度に関係せず、すべての照明器具に対して点灯レベルを一律の割合下げる照明制御を行う。
【０２２９】
第７実施形態によれば、照度変化に対する感度が低下しているパソコン作業者付近の照明器具から優先的に電力削減制御を行うので、作業者が感じる視環境の変化を抑えつつ電力削減制御を行うことができる。
【０２３０】
【発明の効果】
以上のことから明らかなように、請求項１記載の発明は、負荷機器およびこの負荷機器の制御を行うコントローラを含むサブシステムと、このサブシステム内の負荷機器による消費電力を監視する消費電力監視手段を持ち、この消費電力監視手段によって監視されている消費電力を低減する必要がある場合に前記サブシステム内のコントローラに電力削減指示を出す総合監視装置とをネットワークに接続して構築されるマネジメントシステムに含まれる少なくとも１つの前記サブシステムによりなる負荷制御システムであって、前記コントローラは、前記総合監視装置から電力削減指示を受けると、自己が属するサブシステム内の負荷機器に対し、現在の負荷出力レベルよりも低い負荷出力レベルを求めてこの負荷出力レベルで動作させるように制御を行うので、総合監視装置が、電力削減指示を与えるだけで負荷機器の具体的な制御を行う必要がなくなるため、総合監視装置の演算処理の負担を軽減することができ、その構成を簡単にして安価にすることができる。これにより、システム規模が大きくなっても、総合監視装置にかかる負担が勢い増大することなく、高コストの総合監視装置を必要としない負荷制御システムを提供することができる。例えば、サブシステムに複数の負荷機器が設けられたり、サブシステムが複数設けられたり、あるいはサブシステムが複数種類設けられたりしてシステム規模が大きくなり、加えてサブシステム内の各負荷機器の一部に対し、現在の負荷出力レベルよりも低い負荷出力レベルを求めてこの負荷出力レベルで動作させるような制御を行うようにしたとしても、その制御が総合監視装置ではなく主としてコントローラによって行われるので、総合監視装置にかかる負担を増大させることなく、負荷機器の効率的な電力削減制御が可能になり、負荷機器として照明器具を備える場合には照明環境の変化による心理的悪影響を軽減するなどの制御も可能となる。
【０２３１】
請求項２記載の発明は、請求項１記載の負荷制御システムにおいて、前記サブシステムは、前記負荷機器を複数含み、前記コントローラは、前記総合監視装置から電力削減指示を受けると、自己が属するサブシステム内の各負荷機器を優先度別に区分し、これら優先度別に区分した各負荷機器のうち、少なくとも一つの優先度に区分した負荷機器に対し、現在の負荷出力レベルよりも低い負荷出力レベルを求めてこの負荷出力レベルで動作させるように制御を行うので、よりきめ細かな電力制御が可能となる。
【０２３２】
請求項３記載の発明は、請求項２記載の負荷制御システムにおいて、前記各負荷機器は、自己の動作状態情報を取得する動作状態情報取得手段およびこの動作状態情報取得手段で取得された動作状態情報を自己が属するサブシステム内のコントローラに送信する通信手段を有し、前記コントローラは、前記各負荷機器からの動作状態情報を受信する通信手段を有し、自己が属するサブシステム内の各負荷機器を優先度別に区分するとき、当該コントローラの通信手段で受信される前記各負荷機器からの動作状態情報を基に前記各負荷機器を優先度別に区分するので、各負荷機器の動作状態に合わせた好適な電力制御が可能となる。
【０２３３】
請求項４記載の発明は、請求項３記載の負荷制御システムにおいて、前記動作状態情報取得手段は、自己を具備する負荷機器の現在の負荷出力レベルを前記動作状態情報として取得し、前記コントローラは、前記各負荷機器からの動作状態情報を基に優先度別に区分した各負荷機器のうち、少なくとも負荷出力レベルが最も高くなる優先度に区分した負荷機器に対し、現在の負荷出力レベルよりも低い負荷出力レベルを求めてこの負荷出力レベルで動作させるように制御を行うので、負荷機器が例えば照明器具である場合に、全体の照度低下を抑えつつ効率的な電力削減制御が可能となる。
【０２３４】
請求項５記載の発明は、請求項３記載の負荷制御システムにおいて、前記負荷機器は照明器具であり、前記動作状態情報取得手段は、自己が属するサブシステムに自己を具備する負荷機器が接続されてからの累積点灯時間を前記動作状態情報として取得し、前記コントローラは、前記各負荷機器からの動作状態情報を基に優先度別に区分した各負荷機器のうち、少なくとも累積点灯時間が最も短くなる優先度に区分した照明器具に対し、現在の負荷出力レベルよりも低い負荷出力レベルを求めてこの負荷出力レベルで動作させるように制御を行うので、全体の照度低下を抑えつつ効率的な電力削減制御が可能となる。
【０２３５】
請求項６記載の発明は、請求項２記載の負荷制御システムにおいて、前記コントローラは、自己が属するサブシステム内の各負荷機器を優先度別に区分するとき、それら各負荷機器の設置場所情報を基に前記各負荷機器を優先度別に区分するので、負荷機器が例えば照明器具である場合に、視環境変化を抑えて良好な作業環境を保つことができる。
【０２３６】
請求項７記載の発明は、請求項２記載の負荷制御システムにおいて、前記コントローラは、自己が属するサブシステム内の各負荷機器を優先度別に区分するとき、それら各負荷機器の種類情報を基に前記各負荷機器を優先度別に区分するので、負荷機器が例えば照明器具である場合に、視環境変化を抑えつつ効率的な電力削減制御が可能となる。
【０２３７】
請求項８記載の発明は、請求項２記載の負荷制御システムにおいて、前記コントローラは、自己が属するサブシステム内の各負荷機器を優先度別に区分するとき、それら各負荷機器の設置場所に居る人の個人情報を基に前記各負荷機器を優先度別に区分するので、負荷機器が例えば照明器具である場合に、視環境を保ちつつ負荷機器の電力削減制御を行うことができる。
【０２３８】
請求項９記載の発明は、請求項２記載の負荷制御システムにおいて、前記コントローラは、自己が属するサブシステム内の各負荷機器を優先度別に区分するとき、それら各負荷機器の設置場所で行われる業務内容の情報を基に前記各負荷機器を優先度別に区分するので、負荷機器が例えば照明器具である場合に、作業者が感じる視環境の変化を抑えつつ電力削減制御を行うことができる。
【０２３９】
請求項１０記載の発明は、請求項１から９のいずれかに記載の負荷制御システムと、この負荷制御システム内の負荷機器による消費電力を監視する消費電力監視手段を持ち、この消費電力監視手段によって監視されている消費電力を低減する必要がある場合に前記負荷制御システム内のコントローラに電力削減指示を出す総合監視装置とをネットワークに接続して構築されるので、システム規模が大きくなっても、総合監視装置にかかる負担が勢い増大することなく、高コストの総合監視装置を必要としないマネジメントシステムを提供することができる。
【図面の簡単な説明】
【図１】本発明による第１実施形態のマネジメントシステムの構成図である。
【図２】図１中の照明器具の構成図である。
【図３】本発明による第２実施形態のマネジメントシステムの構成図である。
【図４】図３中の照明器具の構成図である。
【図５】図３中の照明制御コントローラによる消費電力低減の原理説明図である。
【図６】同照明制御コントローラで利用されるデータテーブル例を示す図である。
【図７】第２実施形態のマネジメントシステムの動作説明図である。
【図８】本発明による第３実施形態のマネジメントシステムにおける照明制御コントローラで利用されるデータテーブル例を示す図である。
【図９】同照明制御コントローラによる消費電力低減の原理説明図である。
【図１０】第３実施形態のマネジメントシステムの動作説明図である。
【図１１】本発明による第４実施形態のマネジメントシステムの構成図である。
【図１２】図１１中の照明制御コントローラで利用されるデータテーブル例を示す図である。
【図１３】同照明制御コントローラによる消費電力低減の原理説明図である。
【図１４】第４実施形態のマネジメントシステムの動作説明図である。
【図１５】本発明による第５実施形態のマネジメントシステムの構成図である。
【図１６】同マネジメントシステムにおける天井取付型の照明器具の構成図である。
【図１７】同マネジメントシステムにおける卓上型の照明器具の構成図である。
【図１８】同マネジメントシステムにおける照明サブシステムの設置例を示す図である。
【図１９】同マネジメントシステムの動作説明図である。
【図２０】本発明による第６実施形態のマネジメントシステムの構成図である。
【図２１】同マネジメントシステムで使用されるデータテーブルの一例を示す図である。
【図２２】同マネジメントシステムで使用されるデータテーブルの一例を示す図である。
【図２３】同マネジメントシステムの動作説明図である。
【図２４】本発明による第７実施形態のマネジメントシステムで使用されるデータテーブルの一例を示す図である。
【図２５】第１従来技術のマネジメントシステムの構成図である。
【図２６】同マネジメントシステムにおける総合監視装置の構成図である。
【図２７】同マネジメントシステムにおける照明サブシステムの模式図である。
【図２８】第２従来技術のマネジメントシステムの構成図の構成図である。
【図２９】同マネジメントシステムの動作説明図である。
【図３０】同マネジメントシステムの動作説明図である。
【図３１】第３従来技術のマネジメントシステムの動作説明図である。
【符号の説明】
１，１Ａ，１Ｂ  総合監視装置
１０，１０Ａ  制御部
１１  ビルネットワークインターフェイス
１２  消費電力監視部
１３  ビル管理データベース
２，２Ａ，２Ｂ，２Ｃ，２Ｄ  照明サブシステム
２０，２０Ａ，２０Ｂ，２０Ｃ  照明制御コントローラ
２００，２００Ａ，２００Ｂ，２００Ｃ  演算処理部
２０１  ビルネットワークインターフェイス
２０２  信号送受信部
２０３，２０３Ａ，２０３Ｂ  照明制御信号生成部
２０４  電力目標値管理部
２０５，２０５Ａ，２０５Ｂ，２０５Ｃ  制御判断部
２０６，２０６Ａ  記憶部
２０７  無線信号送受信部
２１，２１Ａ，２１Ｂ  照明器具
２１０，２１０Ａ，２１０Ｂ  制御部
２１１  信号送受信部
２１２，２１２Ａ，２１２Ｂ  点灯装置
２１３  点灯レベル検出回路
２１４  タイマ回路
２２  照明器具
２２０  制御部
２２１  無線信号送受信部
２２２  点灯装置
【図１】
2004180411.tif 000003
【図２】
2004180411.tif 000004
【図３】
2004180411.tif 000005
【図４】
2004180411.tif 000006
【図５】
2004180411.tif 000007
【図６】
2004180411.tif 000008
【図７】
2004180411.tif 000009
【図８】
2004180411.tif 000010
【図９】
2004180411.tif 000011
【図１０】
2004180411.tif 000012
【図１１】
2004180411.tif 000013
【図１２】
2004180411.tif 000014
【図１３】
2004180411.tif 000015
【図１４】
2004180411.tif 000016
【図１５】
2004180411.tif 000017
【図１６】
2004180411.tif 000018
【図１７】
2004180411.tif 000019
【図１８】
2004180411.tif 000020
【図１９】
2004180411.tif 000021
【図２０】
2004180411.tif 000022
【図２１】
2004180411.tif 000023
【図２２】
2004180411.tif 000024
【図２３】
2004180411.tif 000025
【図２４】
2004180411.tif 000026
【図２５】
2004180411.tif 000027
【図２６】
2004180411.tif 000028
【図２７】
2004180411.tif 000029
【図２８】
2004180411.tif 000030
【図２９】
2004180411.tif 000031
【図３０】
2004180411.tif 000032
【図３１】
2004180411.tif 000033